(57)【特許請求の範囲】
【請求項１】
複数のレンズ群を有し、
物体側から順に、
負の屈折力を有する第１レンズ群と、
負の屈折力を有する第２レンズ群と、
正の屈折力を有するレンズ群と、
負の屈折力を有する最終レンズ群と、を有し、
前記最終レンズ群は、前記複数のレンズ群の中で最も像側に位置し、
前記複数のレンズ群は４つのレンズ群からなり、
変倍時、前記複数のレンズ群における各レンズ群の間隔が変化し、
無限遠物点から近距離物点への合焦時、前記第２レンズ群のみが移動し、
前記第２レンズ群は１枚の負レンズで構成され、
前記負レンズは、像側に凸面を向けたメニスカスレンズであり、
無限遠物点から近距離物点への合焦時、前記負レンズは物体側へ移動し、
以下の条件式を満足することを特徴とするズームレンズ。
２．００＜｜Ｓt｜＜８．００
−６．００＜（ｒff＋ｒfb）／（ｒff−ｒfb）＜−１．００
ここで、
Ｓt＝（１−β2t×β2t）×βct×βct
β2tは、前記第２レンズ群の横倍率、
βctは、前記第２レンズ群よりも像側に位置する全部のレンズ群の合成横倍率であって、
いずれも、望遠端における無限遠物点合焦時の横倍率、
ｒffは、前記負レンズの物体側レンズ面の曲率半径、
ｒfbは、前記負レンズの像側レンズ面の曲率半径、
である。
【請求項２】
開口絞りを備え、
前記開口絞りは、２つのレンズの間に配置され、
前記２つのレンズのうち、一方のレンズは前記第２レンズ群の最も像側に位置し、他方のレンズは前記最終レンズ群の最も物体側に位置し、
広角端から望遠端への変倍時に、前記開口絞りは物体側へ移動することを特徴とする請求項１に記載のズームレンズ。
【請求項３】
以下の条件式を満足することを特徴とする請求項２に記載のズームレンズ。
１．００＜Ｄaiw／（ｔａｎωt×ｆt）＜５．００
ここで、
Ｄaiwは、広角端における前記開口絞りと像面との間隔、
ωtは、望遠端における半画角、
ｆtは、望遠端における前記ズームレンズ全系の焦点距離、
である。
【請求項４】
以下の条件式を満足することを特徴とする請求項１から３のいずれか一項に記載のズームレンズ。
０．７０＜βlw＜２．００
ここで、
βlwは、広角端における無限遠物点合焦時の前記最終レンズ群の横倍率、
である。
【請求項５】
以下の条件式を満足することを特徴とする請求項１から４のいずれか一項に記載のズームレンズ。
０．２０＜（βlt／βlw）／（ｆt／ｆw）＜０．９０
ここで、
βltは、望遠端における前記最終レンズ群の横倍率、
βlwは、広角端における前記最終レンズ群の横倍率であって、
いずれも、無限遠物点合焦時の横倍率、
ｆtは、望遠端における前記ズームレンズ全系の焦点距離、
ｆwは、広角端における前記ズームレンズ全系の焦点距離、
である。
【請求項６】
以下の条件式を満足することを特徴とする請求項１から５のいずれか一項に記載のズームレンズ。
０．９４＜（β2t／β2w）＜１．０９
ここで、
β2tは、望遠端における前記第２レンズ群の横倍率、
β2wは、広角端における前記第２レンズ群の横倍率であって、
いずれも、無限遠物点合焦時の横倍率、
である。
【請求項７】
以下の条件式を満足することを特徴とする請求項１から６のいずれか一項に記載のズームレンズ。
０．８０＜ＥＸＰw／（ｔａｎωt×ｆt）＜３．００
ここで、
ＥＸＰwは、広角端における像面と射出瞳との間隔、
ωtは、望遠端における半画角、
ｆtは、望遠端における前記ズームレンズ全系の焦点距離、
である。
【請求項８】
以下の条件式を満足することを特徴とする請求項１から７のいずれか一項に記載のズームレンズ。
−５．５０＜ｆ2／ｆw＜−１．００
０．３０＜Ｄ1L／Ｄ1a＜４．００
ここで、
ｆ2は、前記第２レンズ群の焦点距離、
ｆwは、広角端における前記ズームレンズ全系の焦点距離、
Ｄ1Lは、前記第１レンズ群における光軸上のレンズ厚の総和、
Ｄ1aは、前記第１レンズ群における光軸上の空気間隔の総和、
である。
【請求項９】
以下の条件式を満足することを特徴とする請求項１から８のいずれか一項に記載のズームレンズ。
−６．００＜ｆ1／ｆw＜−１．００
ここで、
ｆ1は、前記第１レンズ群の焦点距離、
ｆwは、広角端における前記ズームレンズ全系の焦点距離、
である。
【請求項１０】
前記最終レンズ群の最も像側に位置するレンズと前記第１レンズ群は、以下の条件式を満足することを特徴とする請求項１から９のいずれか一項に記載のズームレンズ。
−３．００＜（ｒlf＋ｒlb）／（ｒlf−ｒlb）＜−０．３０
｜ｒlf｜＜｜ｒlb｜
０．３０＜Ｄ1L／Ｄ1a＜４．００
ここで、
ｒlfは、前記最終レンズ群の最も像側に位置するレンズの物体側レンズ面の曲率半径、
ｒlbは、前記最終レンズ群の最も像側に位置するレンズの像側レンズ面の曲率半径、
Ｄ1Lは、前記第１レンズ群における光軸上のレンズ厚の総和、
Ｄ1aは、前記第１レンズ群における光軸上の空気間隔の総和、
である。
【請求項１１】
広角端から望遠端への変倍時に、前記最終レンズ群は物体側へ移動することを特徴とする請求項１から１０のいずれか一項に記載のズームレンズ。
【請求項１２】
以下の条件式を満足することを特徴とする請求項１から７、９、１１のいずれか一項に記載のズームレンズ。
０．３０＜Ｄ1L／Ｄ1a＜４．００
ここで、
Ｄ1Lは、前記第１レンズ群における光軸上のレンズ厚の総和、
Ｄ1aは、前記第１レンズ群における光軸上の空気間隔の総和、
である。
【請求項１３】
前記第１レンズ群は、１枚の負レンズと、１枚の正レンズと、を少なくとも有することを特徴とする請求項１から１２のいずれか一項に記載のズームレンズ。
【請求項１４】
更に、開口絞りを有し、
前記正の屈折力を有するレンズ群は第３レンズ群であり、
前記最終レンズ群は第４レンズ群であり、
前記開口絞りが前記第３レンズ群内に配置され、
少なくとも１枚の非球面レンズを有し、
以下の条件式を満足することを特徴とする請求項１から１３のいずれか一項に記載のズームレンズ。
０．３０＜Ｄ1L／Ｄ1a＜４．００
ここで、
Ｄ1Lは、前記第１レンズ群における光軸上のレンズ厚の総和、
Ｄ1aは、前記第１レンズ群における光軸上の空気間隔の総和、
である。
【請求項１５】
請求項１から１４のいずれか１項に記載のズームレンズと、
撮像面を有する撮像素子を備えたことを特徴とする撮像装置。
【発明の詳細な説明】
【技術分野】
【０００１】
本発明は、ズームレンズ及びそれを備えた撮像装置に関するものである。
【背景技術】
【０００２】
撮像装置に用いられるズームレンズには、小型であることや諸収差が良好に補正されていることが望まれている。一方、撮像装置に用いられる撮像素子には、感度が高いことや画素数が多いことが好まれる。そのため、撮像素子のサイズ（受光面のサイズ）は大きくなってしまう。このようなことから、ズームレンズには、小型で諸収差が良好に補正されていることに加えて、サイズが大きい撮像素子にも対応できることが望まれる。【０００３】
撮像素子のサイズが大きくなると、撮像素子上に形成される像の大きさも大きくなる。サイズが大きい撮像素子にも対応できることとは、像の大きさが大きくなった場合であっても、周辺部（像高の高い部分）における諸収差が良好に補正されているということである。【０００４】
上述の要望を実現するズームレンズとして、負先行型のズームレンズが知られている。負先行型のズームレンズでは、負の屈折力を有するレンズ群が最も物体側に配置されている。負先行型のズームレンズとしては、２つのレンズ群からなるズームレンズや３つのレンズ群からなるズームレンズがある。２つのレンズ群からなるズームレンズは、物体側から順に、負の屈折力を有するレンズ群と正の屈折力を有するレンズ群とからなる。【０００５】
また、３つのレンズ群からなるズームレンズとして、特許文献１に開示されたズームレンズがある。特許文献１のズームレンズは、物体側から順に、負の屈折力を有する第１レンズ群と、負の屈折力を有する第２レンズ群と、正の屈折力を有する第３レンズ群とからなる。
【先行技術文献】
【特許文献】
【０００６】
【特許文献１】特開２０１２−２２０１９号公報
【発明の概要】
【発明が解決しようとする課題】
【０００７】
特許文献１のズームレンズでは、諸収差の良好な補正とサイズが大きい撮像素子への対応を両立させながら、全長を更に短くすることは難しい。特許文献１のズームレンズにおいて全長を短縮しようとすると、各レンズ群の屈折力を大きくする必要がある。【０００８】
ここで、第１レンズ群と第２レンズ群では、軸外光線の光線高が高くなっている。そのため、第１レンズ群と第２レンズ群の屈折力を共に大きくすると、倍率色収差、非点収差及び歪曲収差の発生量が大きくなる。一方、第３レンズ群では、軸上光線の光線高が高くなっている。そのため、第３レンズ群の屈折力を大きくすると、球面収差や軸上色収差の発生量が大きくなってしまう。その結果、サイズが大きい撮像素子を用いた場合、撮像素子の周辺部において諸収差が良好に補正された状態を維持することが困難になる。【０００９】
本発明は、上記に鑑みてなされたものであって、サイズが大きい撮像素子を用いた場合であっても諸収差が良好に補正され、なお且つ、全長が短いズームレンズ及びそれを備えた撮像装置を提供することを目的としている。
【課題を解決するための手段】
【００１０】
上述した課題を解決し、目的を達成するために、本発明のズームレンズは、
複数のレンズ群を有し、
物体側から順に、
負の屈折力を有する第１レンズ群と、
負の屈折力を有する第２レンズ群と、
正の屈折力を有するレンズ群と、
負の屈折力を有する最終レンズ群と、を有し、
最終レンズ群は、複数のレンズ群の中で最も像側に位置し、
複数のレンズ群は４つのレンズ群からなり、
変倍時、複数のレンズ群における各レンズ群の間隔が変化し、
無限遠物点から近距離物点への合焦時、第２レンズ群のみが移動し、
第２レンズ群は１枚の負レンズで構成され、
負レンズは、像側に凸面を向けたメニスカスレンズであり、
無限遠物点から近距離物点への合焦時、負レンズは物体側へ移動し、
以下の条件式を満足することを特徴とする。
２．００＜｜Ｓt｜＜８．００
−６．００＜（ｒff＋ｒfb）／（ｒff−ｒfb）＜−１．００
ここで、
Ｓt＝（１−β2t×β2t）×βct×βct
β2tは、第２レンズ群の横倍率、
βctは、第２レンズ群よりも像側に位置する全部のレンズ群の合成横倍率であって、
いずれも、望遠端における無限遠物点合焦時の横倍率、
ｒffは、負レンズの物体側レンズ面の曲率半径、
ｒfbは、負レンズの像側レンズ面の曲率半径、
である。
【００１１】
また、本発明の撮像装置は、
上記のズームレンズと、
撮像面を有する撮像素子を備えたことを特徴とする。
【発明の効果】
【００１２】
本発明によれば、サイズが大きい撮像素子を用いた場合であっても諸収差が良好に補正され、なお且つ、光学系の全長が短いズームレンズ及びそれを備えた撮像装置を提供できる。
【図面の簡単な説明】
【００１３】
【図１】実施例１にかかるズームレンズの無限遠物点合焦時の光学構成を示す光軸に沿う断面図であり、（ａ）は広角端、（ｂ）は中間、（ｃ）は望遠端での断面図である。
【図２】実施例１にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３】実施例１にかかるズームレンズの近距離物点合焦時の光学構成を示す光軸に沿う断面図であり、（ａ）は広角端、（ｂ）は中間、（ｃ）は望遠端での断面図である。
【図４】実施例１にかかるズームレンズの近距離物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図５】実施例２にかかるズームレンズの無限遠物点合焦時の光学構成を示す光軸に沿う断面図であり、（ａ）は広角端、（ｂ）は中間、（ｃ）は望遠端での断面図である。
【図６】実施例２にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図７】実施例２にかかるズームレンズの近距離物点合焦時の光学構成を示す光軸に沿う断面図であり、（ａ）は広角端、（ｂ）は中間、（ｃ）は望遠端での断面図である。
【図８】実施例２にかかるズームレンズの近距離物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図９】実施例３にかかるズームレンズの無限遠物点合焦時の光学構成を示す光軸に沿う断面図であり、（ａ）は広角端、（ｂ）は中間、（ｃ）は望遠端での断面図である。
【図１０】実施例３にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１１】実施例３にかかるズームレンズの近距離物点合焦時の光学構成を示す光軸に沿う断面図であり、（ａ）は広角端、（ｂ）は中間、（ｃ）は望遠端での断面図である。
【図１２】実施例３にかかるズームレンズの近距離物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１３】実施例４にかかるズームレンズの無限遠物点合焦時の光学構成を示す光軸に沿う断面図であり、（ａ）は広角端、（ｂ）は中間、（ｃ）は望遠端での断面図である。
【図１４】実施例４にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１５】実施例４にかかるズームレンズの近距離物点合焦時の光学構成を示す光軸に沿う断面図であり、（ａ）は広角端、（ｂ）は中間、（ｃ）は望遠端での断面図である。
【図１６】実施例４にかかるズームレンズの近距離物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１７】実施例５にかかるズームレンズの無限遠物点合焦時の光学構成を示す光軸に沿う断面図であり、（ａ）は広角端、（ｂ）は中間、（ｃ）は望遠端での断面図である。
【図１８】実施例５にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１９】実施例５にかかるズームレンズの近距離物点合焦時の光学構成を示す光軸に沿う断面図であり、（ａ）は広角端、（ｂ）は中間、（ｃ）は望遠端での断面図である。
【図２０】実施例５にかかるズームレンズの近距離物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２１】実施例６にかかるズームレンズの無限遠物点合焦時の光学構成を示す光軸に沿う断面図であり、（ａ）は広角端、（ｂ）は中間、（ｃ）は望遠端での断面図である。
【図２２】実施例６にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２３】実施例６にかかるズームレンズの近距離物点合焦時の光学構成を示す光軸に沿う断面図であり、（ａ）は広角端、（ｂ）は中間、（ｃ）は望遠端での断面図である。
【図２４】実施例６にかかるズームレンズの近距離物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２５】実施例７にかかるズームレンズの無限遠物点合焦時の光学構成を示す光軸に沿う断面図であり、（ａ）は広角端、（ｂ）は中間、（ｃ）は望遠端での断面図である。
【図２６】実施例７にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２７】実施例７にかかるズームレンズの近距離物点合焦時の光学構成を示す光軸に沿う断面図であり、（ａ）は広角端、（ｂ）は中間、（ｃ）は望遠端での断面図である。
【図２８】実施例７にかかるズームレンズの近距離物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２９】実施例８にかかるズームレンズの無限遠物点合焦時の光学構成を示す光軸に沿う断面図であり、（ａ）は広角端、（ｂ）は中間、（ｃ）は望遠端での断面図である。
【図３０】実施例８にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３１】実施例８にかかるズームレンズの近距離物点合焦時の光学構成を示す光軸に沿う断面図であり、（ａ）は広角端、（ｂ）は中間、（ｃ）は望遠端での断面図である。
【図３２】実施例８にかかるズームレンズの近距離物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３３】実施例９にかかるズームレンズの無限遠物点合焦時の光学構成を示す光軸に沿う断面図であり、（ａ）は広角端、（ｂ）は中間、（ｃ）は望遠端での断面図である。
【図３４】実施例９にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３５】実施例９にかかるズームレンズの近距離物点合焦時の光学構成を示す光軸に沿う断面図であり、（ａ）は広角端、（ｂ）は中間、（ｃ）は望遠端での断面図である。
【図３６】実施例９にかかるズームレンズの近距離物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３７】実施例１０にかかるズームレンズの無限遠物点合焦時の光学構成を示す光軸に沿う断面図であり、（ａ）は広角端、（ｂ）は中間、（ｃ）は望遠端での断面図である。
【図３８】実施例１０にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３９】実施例１０にかかるズームレンズの近距離物点合焦時の光学構成を示す光軸に沿う断面図であり、（ａ）は広角端、（ｂ）は中間、（ｃ）は望遠端での断面図である。
【図４０】実施例１０にかかるズームレンズの近距離物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図４１】実施例１１にかかるズームレンズの無限遠物点合焦時の光学構成を示す光軸に沿う断面図であり、（ａ）は広角端、（ｂ）は中間、（ｃ）は望遠端での断面図である。
【図４２】実施例１１にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図４３】実施例１１にかかるズームレンズの近距離物点合焦時の光学構成を示す光軸に沿う断面図であり、（ａ）は広角端、（ｂ）は中間、（ｃ）は望遠端での断面図である。
【図４４】実施例１１にかかるズームレンズの近距離物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図４５】本実施例によるズームレンズを用いたコンパクトカメラの断面図である。
【図４６】本実施例によるデジタルカメラの外観を示す前方斜視図である。
【図４７】図４６のデジタルカメラの後方斜視図である。
【図４８】図４６のデジタルカメラの主要部の内部回路の構成ブロック図である。
【発明を実施するための形態】
【００１４】
実施例の説明に先立ち、本発明のある態様にかかる実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００１５】
また、以下で説明する構成及び条件式は、特段のことわりがない限り、無限遠物点に合焦した時の構成及び条件式である。また、レンズ面が非球面の場合は、近軸曲率半径をそのレンズ面の曲率半径とすれば良い。
【００１６】
また、「最も像側に位置するレンズ」や「最も物体側に位置するレンズ」を使ってレンズ群の構成を説明している場合、そのレンズ群が複数のレンズで構成されているとは限定されない。すなわち、そのレンズ群が１つのレンズからなる場合も含む。なお、レンズ群が１つのレンズからなる場合は、そのレンズが最も物体側に位置するレンズであり、同時に、最も像側に位置するレンズでもある。
【００１７】
本実施形態のズームレンズは、複数のレンズ群を有し、物体側から順に、負の屈折力を有する第１レンズ群と、負の屈折力を有する第２レンズ群と、正の屈折力を有するレンズ群と、負の屈折力を有する最終レンズ群と、を有し、最終レンズ群は、複数のレンズ群の中で最も像側に位置し、変倍時、複数のレンズ群における各レンズ群の間隔が変化することを特徴とする。
【００１８】
ズームレンズを小型にするためには、ズームレンズの全長を短縮する必要がある。ズームレンズの全長を短縮しようとすると、各レンズ群の屈折力は大きくなる。３つのレンズ群で構成されているズームレンズにおいて、各レンズ群の屈折力を大きくすると、上述のように、倍率色収差、非点収差、歪曲収差、球面収差及び軸上色収差の補正が困難になる。
【００１９】
例えば、第１レンズ群と第２レンズ群とでは、倍率色収差、非点収差及び歪曲収差が発生する。これらの収差を正の屈折力を有するレンズ群で補正しようとすると、正の屈折力を有するレンズ群自身で発生する球面収差や軸上色収差の補正が困難になる。
【００２０】
そこで、本実施形態のズームレンズでは、負の屈折力を有する最終レンズ群を、複数のレンズ群の中で最も像側に配置している。負の屈折力を有するレンズ群を最も像側に配置することで、正の屈折力を有するレンズ群を挟んで、物体側と像側で屈折力が共に負になる。このように、屈折力の配置を対称にできるので、諸収差を良好に補正できる。
【００２１】
また、上述のように、従来は、倍率色収差、非点収差及び歪曲収差などの軸外収差の補正を、正の屈折力を有するレンズ群で行っていた。これに対して、本実施形態のズームレンズは最終レンズ群を備えているので、これらの軸外収差の補正を、最終レンズ群と正の屈折力を有するレンズ群とで行える。よって、本実施形態のズームレンズでは、倍率色収差、非点収差及び歪曲収差を良好に補正できる。
【００２２】
このように、最終レンズ群を備えることで、正の屈折力を有するレンズ群における収差補正の負担、特に、倍率色収差、非点収差及び歪曲収差などの軸外収差に対する補正の負担を軽減できる。そのため、正の屈折力を有するレンズ群では、球面収差や軸上色収差を主な補正対象とした収差補正ができる。その結果、倍率色収差、非点収差、歪曲収差、球面収差及び軸上色収差を良好に補正しつつ、ズームレンズの全長を短縮できる。
【００２３】
また、最終レンズ群の屈折力を負にすることで、最終レンズ群から出射する光線を、光軸から離れる方向に出射させることができる。これは、大きな像を形成できるということである。よって、サイズが大きい撮像素子を用いた場合であっても、諸収差が良好に補正された大きな像を撮像素子上に形成できる。
【００２４】
また、広角端から望遠端への変倍時、倍率色収差、歪曲収差及び非点収差の発生量が変化する。そこで、第１レンズ群と第２レンズ群との間隔を変化させることで、これらの収差を良好に補正できる。また、ズームレンズの全長を短縮できる。
【００２５】
このように、最も像側に負の屈折力を有する最終レンズ群を有することで、サイズが大きい撮像素子を用いた場合であっても、中心から周辺まで諸収差が良好に補正され、なお且つ、全長が短いズームレンズが実現できる。
【００２６】
また、本実施形態のズームレンズでは、無限遠物点から近距離物点への合焦時、第２レンズ群のみが移動し、以下の条件式（１）を満足することが好ましい。
２．００＜｜Ｓt｜＜８．００      （１）
ここで、
Ｓt＝（１−β2t×β2t）×βct×βct
β2tは、第２レンズ群の横倍率、
βctは、第２レンズ群よりも像側に位置するレンズ群の合成横倍率であって、
いずれも、望遠端における無限遠物点合焦時の横倍率、
である。
【００２７】
望遠端では、第２レンズ群における軸外光線の高さは、第１レンズ群に比べて低く抑えられている。そこで、合焦時に第２レンズ群のみを移動させることで、合焦に伴う非点収差や歪曲収差の発生を抑制できる。
【００２８】
条件式（１）は、第２レンズ群で合焦する場合の望遠端での合焦感度（フォーカス感度）に関するものである。この合焦感度は、第２レンズ群の移動量に対する像面の移動量を近軸的に示すものである。第２レンズ群で合焦を行う場合、合焦感度には、第２レンズ群よりも像側に位置するレンズ群の合成横倍率が含まれる。なお、第２レンズ群よりも像側には複数のレンズ群がある。合成横倍率とは、複数のレンズ群各々の横倍率の積である。
【００２９】
条件式（１）を満足することで、非点収差や歪曲収差が良好に補正され、なお且つ、全長が短いズームレンズを実現できる。また、近距離物点（至近物点）に合焦したときも良好な結像性能を確保できる。すなわち、諸収差が良好に補正された像が得られる。よって、光学系を小型化すると、近距離物点に合焦した時に、非点収差や像面湾曲等の収差変動が大きくなる、という問題がしばしば生じるが、本実施形態のズームレンズによればこのような問題を解決できる。
【００３０】
条件式（１）の下限値を下回らないようにすることで、合焦感度を適度に高くできる。そのため、合焦時の第２レンズ群の移動量の増大や、非点収差や歪曲収差の変動を抑制できる。また、第２レンズ群の移動量の増大が抑制されることで、第２レンズ群の移動に必要なスペースを小さくできる。その結果、ズームレンズの全長を短縮できる。
【００３１】
条件式（１）の上限値を上回らないようにすることで、合焦感度が高くなり過ぎることを抑制できる。これにより、第２レンズ群における非点収差や歪曲収差の発生を抑制できる。
【００３２】
なお、条件式（１）に代えて、以下の条件式（１’）を満足すると良い。
２．８０＜｜Ｓt｜＜７．００      （１’）
さらに、条件式（１）に代えて、以下の条件式（１’’）を満足するとなお良い。
２．９０＜｜Ｓt｜＜６．５０      （１’’）
【００３３】
また、合焦時の第２レンズ群の移動は、物体側への移動が好ましい。上述のように、本実施形態のズームレンズでは、第２レンズ群は負の屈折力を有している。ここで、合焦時に負の屈折力を有するレンズ群を物体側に移動させると、近距離物点に合焦した時の入射瞳の位置は、無限遠物点に合焦した時の入射瞳の位置よりも物体側に移動した位置になる。入射瞳の位置が物体側に移動すると、第１レンズ群内を通る軸外光線の高さの増大（高くなること）を抑制できる。そのため、第１レンズ群における非点収差の変動を抑制できる。その結果、近距離物点に合焦した時も、諸収差が良好に補正された像が得られる。
【００３４】
また、本実施形態のズームレンズは、開口絞りを備え、開口絞りは、２つのレンズの間に配置され、２つのレンズのうち、一方のレンズは第２レンズ群の最も像側に位置し、他方のレンズは最終レンズ群の最も物体側に位置し、広角端から望遠端への変倍時に、開口絞りは物体側へ移動することが好ましい。
【００３５】
このようにすることで、第１レンズ群と最終レンズ群の両方において、レンズ径の増大を抑制できる。その結果、光学系を小型化できる。また、広角端と望遠端の両方において、倍率色収差や歪曲収差を良好に補正できる。
【００３６】
なお、開口絞りは、正の屈折力を有するレンズ群中に配置されることがより好ましい。
【００３７】
また、本実施形態のズームレンズでは、以下の条件式（２）を満足することが好ましい。
１．００＜Ｄaiw／（ｔａｎωt×ｆt）＜５．００      （２）
ここで、
Ｄaiwは、広角端における開口絞りと像面との間隔、
ωtは、望遠端における半画角、
ｆtは、望遠端におけるズームレンズ全系の焦点距離、
である。
【００３８】
条件式（２）は、広角端における開口絞りと像面との間隔と、望遠端における半画角と望遠端におけるズームレンズ全系の焦点距離の積との比をとったものである。
【００３９】
条件式（２）の下限値を下回らないようにすることで、開口絞りの位置を像面から適度に離すことができる。このようにすると、広角端において、第１レンズ群と第２レンズ群とを開口絞りの近くに配置できる。開口絞りの位置では軸外光線の高さが低いので、第１レンズ群と第２レンズ群とを通過する軸外光線の高さも低くなる。そのため、第１レンズ群と第２レンズ群とで、レンズ径を小さくできる。その結果、光学系を小型化できる。また、広角端における歪曲収差や非点収差などの軸外収差を良好に補正できる。
【００４０】
条件式（２）の上限値を上回らないようにすることで、開口絞りの位置を像面から離れすぎないようにすること（適度に像面に近づけること）ができる。これにより、広角端における開口絞りと像面との間隔を小さくできる。その結果、広角端におけるズームレンズの全長を短縮できる。
【００４１】
また、広角端から望遠端への変倍時に、開口絞りが物体側へ動くと、開口絞りはその動きによる各位置の中で望遠端において最も物体側に位置する。そのため、ズームレンズの全長は望遠端において長くなりやすい。そこで、条件式（２）の上限値を上回らないようにすることで、広角端において、開口絞りの位置を像面に近づけておくことができる。その結果、全長が長くなりやすい望遠端においても、ズームレンズの全長を短縮できる。
【００４２】
また、望遠端において開口絞りを最も物体側に位置させることにより、開口絞りの両側のレンズ群の屈折力を、開口絞りを挟んで対称にできる。よって、望遠端において、歪曲収差や倍率色収差を良好に補正できる。
【００４３】
なお、条件式（２）に代えて、以下の条件式（２’）を満足すると良い。
１．３０＜Ｄaiw／（ｔａｎωt×ｆt）＜４．１０      （２’）
さらに、条件式（２）に代えて、以下の条件式（２’’）を満足するとなお良い。
１．５０＜Ｄaiw／（ｔａｎωt×ｆt）＜３．５０      （２’’）
【００４４】
また、本実施形態のズームレンズでは、以下の条件式（３）を満足することが好ましい。
０．７０＜βlw＜２．００      （３）
ここで、
βlwは、広角端における無限遠物点合焦時の最終レンズ群の横倍率、
である。
【００４５】
条件式（３）は、広角端における最終レンズ群の横倍率に関するものである。
【００４６】
条件式（３）の下限値を下回らないようにすることで、光学系全体の主点をより物体側に位置させることができる。これにより、光学系のテレフォト性を強めることができる。その結果、諸収差を良好に補正しつつ、ズームレンズの全長を短縮できる。
【００４７】
条件式（３）の上限値を上回らないようにすることで、最終レンズ群における球面収差の発生を抑制しながら、第１レンズ群と第２レンズ群で発生した倍率色収差、歪曲収差及び非点収差を良好に補正できる。
【００４８】
なお、条件式（３）に代えて、以下の条件式（３’）を満足すると良い。
０．８０＜βlw＜１．５０      （３’）
さらに、条件式（３）に代えて、以下の条件式（３’’）を満足するとなお良い。
０．８５＜βlw＜１．３５      （３’’）
【００４９】
また、本実施形態のズームレンズでは、以下の条件式（４）を満足することが好ましい。
０．２０＜（βlt／βlw）／（ｆt／ｆw）＜０．９０      （４）
ここで、
βltは、望遠端における最終レンズ群の横倍率、
βlwは、広角端における最終レンズ群の横倍率であって、
いずれも、無限遠物点合焦時の横倍率、
ｆtは、望遠端におけるズームレンズ全系の焦点距離、
ｆwは、広角端におけるズームレンズ全系の焦点距離、
である。
【００５０】
条件式（４）は、最終レンズ群の変倍比に関するものである。
【００５１】
条件式（４）の下限値を下回らないようにすることで、最終レンズ群の変倍比をある程度大きくできる。これにより、望遠端において、最終レンズ群と最終レンズ群よりも物体側にあるレンズ群との間隔を小さくできる。この場合、最終レンズ群を通過する軸上光線の高さは、広角端よりも望遠端において高くなる。そのため、望遠端における収差補正は、広角端における収差の変動にほとんど影響しない。このように、条件式（４）の下限値を下回らないようにすることで、広角端における球面収差や軸上色収差を悪化させることなく、望遠端における球面収差や軸上色収差を良好に補正できる。
【００５２】
また、最終レンズ群よりも物体側にあるレンズ群は、変倍作用を持っている。最終レンズ群の変倍比を大きくできると、最終レンズ群よりも物体側にあるレンズ群の変倍比を、相対的に小さくできる。すると、最終レンズ群よりも物体側にあるレンズ群の移動量を減少させることができるので、ズームレンズの全長が短縮できる。
【００５３】
条件式（４）の上限値を上回らないようにすることで、最終レンズ群の屈折力の増大と移動量の増大を共に抑制できる。そのため、広角端では非点収差の発生を抑制でき、望遠端では球面収差の発生を抑制できる。
【００５４】
なお、条件式（４）に代えて、以下の条件式（４’）を満足すると良い。
０．３０＜（βlt／βlw）／（ｆt／ｆw）＜０．８０      （４’）
さらに、条件式（４）に代えて、以下の条件式（４’’）を満足するとなお良い。
０．３５＜（βlt／βlw）／（ｆt／ｆw）＜０．７０      （４’’）
【００５５】
また、本実施形態のズームレンズでは、以下の条件式（５）を満足することが好ましい。
０．９４＜（β2t／β2w）＜１．０９      （５）
ここで、
β2tは、望遠端における第２レンズ群の横倍率、
β2wは、広角端における第２レンズ群の横倍率であって、
いずれも、無限遠物点合焦時の横倍率、
である。
【００５６】
条件式（５）は、第２レンズ群の変倍比に関するものである。
【００５７】
条件式（５）の下限値を下回らないようにすることで、第２レンズ群の変倍比を適度に大きくできる。そのため、望遠端において、第１レンズ群と第２レンズ群との間隔が広がることを抑制できる。その結果、全長が長くなりやすい望遠端においても、ズームレンズの全長を短縮できる。
【００５８】
また、第２レンズ群の変倍比を適度に大きくできると、第２レンズ群が第１レンズ群に近づくので、入射瞳をより物体側に位置させることができる。これにより、第１レンズ群における軸外光線の高さの増大を抑制できる。その結果、第１レンズ群において、非点収差や倍率色収差の発生を抑制できる。
【００５９】
条件式（５）の上限値を上回らないようにすることで、広角端において、第２レンズ群は第１レンズ群に近づく。ここで、第１レンズ群では、広角端における軸上光線の高さが低い。そこで、第２レンズ群が第１レンズ群に近づくと、第２レンズ群において、広角端における軸上色収差や球面収差の発生を抑制できる。
【００６０】
なお、条件式（５）に代えて、以下の条件式（５’）を満足すると良い。
０．９６＜（β2t／β2w）＜１．０７      （５’）
さらに、条件式（５）に代えて、以下の条件式（５’’）を満足するとなお良い。
０．９８＜（β2t／β2w）＜１．０５      （５’’）
【００６１】
また、本実施形態のズームレンズでは、以下の条件式（６）を満足することが好ましい。
０．８０＜ＥＸＰw／（ｔａｎωt×ｆt）＜３．００      （６）
ここで、
ＥＸＰwは、広角端における像面と射出瞳との間隔、
ωtは、望遠端における半画角、
ｆtは、望遠端におけるズームレンズ全系の焦点距離、
である。
【００６２】
条件式（６）は、広角端における像面と射出瞳との間隔と、望遠端における半画角と望遠端におけるズームレンズ全系の焦点距離の積との比をとったものである。
【００６３】
条件式（６）の下限値を下回らないようにすることで、射出瞳の位置を像面から適度に離すことが可能となる。これにより、広角端における歪曲収差や非点収差の補正に必要なレンズを、開口絞りから像面までの間に配置することができる。その結果、広角端における歪曲収差や非点収差を良好に補正できる。
【００６４】
条件式（６）の上限値を上回らないようにすることで、射出瞳の位置を像面から離れすぎないようにすること（適度に像面に近づけること）ができる。これにより、広角端において、開口絞りと像面との間隔を小さくできる。その結果、広角端において、ズームレンズの全長を短縮できる。
【００６５】
また、条件式（６）を満たすことで、撮像素子へ入射する光線の入射角度を大きくできる。これにより、撮像素子のサイズに対して最終レンズ群の最も像側に位置するレンズの径が大きくなり過ぎないようにすることができる。その結果、光学系の小型化ができる。
【００６６】
なお、条件式（６）に代えて、以下の条件式（６’）を満足すると良い。
０．９０＜ＥＸＰw／（ｔａｎωt×ｆt）＜２．５０      （６’）
さらに、条件式（６）に代えて、以下の条件式（６’’）を満足するとなお良い。
１．００＜ＥＸＰw／（ｔａｎωt×ｆt）＜２．３０      （６’’）
【００６７】
また、本実施形態のズームレンズでは、第２レンズ群は１枚の負レンズで構成されていることが好ましい。
【００６８】
上述のように、無限遠物点から近距離物点への合焦時、第２レンズ群が移動する場合がある。そこで、第２レンズ群を１枚の負レンズで構成することで、負レンズ（第２レンズ群）を配置するスペースや、負レンズ（第２レンズ群）の移動に必要なスペースを小さくできる。その結果、望遠端におけるズームレンズの全長を短縮でき、また、光学系を小型化できる。
【００６９】
また、本実施形態のズームレンズでは、負レンズは、像側に凸面を向けたメニスカスレンズであり、無限遠物点から近距離物点への合焦時、負レンズは物体側へ移動し、以下の条件式（７）を満足することが好ましい。
−６．００＜（ｒff＋ｒfb）／（ｒff−ｒfb）＜−１．００      （７）
ここで、
ｒffは、負レンズの物体側レンズ面の曲率半径、
ｒfbは、負レンズの像側レンズ面の曲率半径、
である。
【００７０】
第２レンズ群を１枚の負レンズで構成した場合、この負レンズの形状をメニスカス形状にすることが好ましい。このようにすることで、広角端や望遠端において、球面収差の発生を抑制できる。
【００７１】
また、このメニスカス形状の負レンズは、像側に凸面が向くように配置することが好ましい。このようにすることで、主点をより物体側に位置させることができる。また、レンズの移動に必要なスペースを、第１レンズ群と第３レンズ群との間に確保しながら、入射瞳をより物体側に位置させることができる。また、広角端において、非点収差や倍率色収差の発生を抑制できる。
【００７２】
条件式（７）は、負レンズのシェーピングファクターに関するものである。
【００７３】
条件式（７）の下限値を下回らないようにすることで、物体側レンズ面と像側レンズ面の曲率半径に差をつけることができる。これにより、像側レンズ面で発生する球面収差を物体側レンズ面で良好に補正することができる。
【００７４】
条件式（７）の上限値を上回らないようにすることで、合焦に伴う収差の変動、特に、望遠端における球面収差の変動を抑制できる。
【００７５】
なお、条件式（７）に代えて、以下の条件式（７’）を満足すると良い。
−５．００＜（ｒff＋ｒfb）／（ｒff−ｒfb）＜−１．１０      （７’）
さらに、条件式（７）に代えて、以下の条件式（７’’）を満足するとなお良い。
−４．５０＜（ｒff＋ｒfb）／（ｒff−ｒfb）＜−１．２０      （７’’）
【００７６】
また、本実施形態のズームレンズでは、以下の条件式（８）を満足することが好ましい。
−５．５０＜ｆ2／ｆw＜−１．００      （８）
ここで、
ｆ2は、第２レンズ群の焦点距離、
ｆwは、広角端におけるズームレンズ全系の焦点距離、
である。
【００７７】
条件式（８）は、第２レンズ群の焦点距離と広角端におけるズームレンズ全系の焦点距離との比に関するものである。
【００７８】
条件式（８）の下限値を下回らないようにすることで、第２レンズ群の焦点距離を適度に長くする（屈折力を小さくする）ことができる。これにより、第２レンズ群で発生する諸収差、特に、広角端における非点収差や倍率色収差の発生を抑制できる。
【００７９】
条件式（８）の上限値を上回らないようにすることで、第２レンズ群の焦点距離を適度に短くする（屈折力を大きくする）ことができる。これにより、入射瞳をより物体側に位置させることができるので、第１レンズ群の径を小さくできる。また、第１レンズ群で発生する諸収差、特に、非点収差や倍率色収差などの軸外収差の発生を抑制できる。
【００８０】
なお、条件式（８）に代えて、以下の条件式（８’）を満足すると良い。
−５．００＜ｆ2／ｆw＜−１．５０      （８’）
さらに、条件式（８）に代えて、以下の条件式（８’’）を満足するとなお良い。
−４．５０＜ｆ2／ｆw＜−１．８０      （８’’）
【００８１】
また、本実施形態のズームレンズでは、以下の条件式（９）を満足することが好ましい。
−６．００＜ｆ1／ｆw＜−１．００      （９）
ここで、
ｆ1は、第１レンズ群の焦点距離、
ｆwは、広角端におけるズームレンズ全系の焦点距離、
である。
【００８２】
条件式（９）は、第１レンズ群の焦点距離と広角端におけるズームレンズ全系の焦点距離との比に関するものである。
【００８３】
条件式（９）の下限値を下回らないようにすることで、第１レンズ群の焦点距離を適度に長くする（屈折力を小さくする）ことができる。これにより、広角端における非点収差や倍率色収差の発生を抑制でき、また、望遠端における倍率色収差の発生を抑制できる。
【００８４】
条件式（９）の上限値を上回らないようにすることで、第１レンズ群の焦点距離を適度に短くする（屈折力を大きくする）ことができる。この場合、入射瞳をより物体側に位置させることができるので、第１レンズ群内にあるレンズの径を小さくできる。その結果、光学系を小型化できる。
【００８５】
また、第１レンズ群の焦点距離を適度に短くすることで、第１レンズ群の像点（第１レンズ群で形成された物体の像）をより像側に位置させることができる。この場合、正の屈折力を有するレンズ群の物点も、より像側に位置することになる。そのため、正の屈折力を有するレンズ群の倍率を広角端において大きくできるので、ズームレンズの全長を短縮できる。
【００８６】
なお、条件式（９）に代えて、以下の条件式（９’）を満足すると良い。
−５．００＜ｆ1／ｆw＜−２．００      （９’）
さらに、条件式（９）に代えて、以下の条件式（９’’）を満足するとなお良い。
−４．５０＜ｆ1／ｆw＜−２．３０      （９’’）
【００８７】
また、本実施形態のズームレンズでは、最終レンズ群の最も像側に位置するレンズは、以下の条件式（１０）、（１１）を満足することが好ましい。
−３．００＜（ｒlf＋ｒlb）／（ｒlf−ｒlb）＜−０．３０      （１０）
｜ｒlf｜＜｜ｒlb｜      （１１）
ここで、
ｒlfは、最終レンズ群の最も像側に位置するレンズの物体側レンズ面の曲率半径、
ｒlbは、最終レンズ群の最も像側に位置するレンズの像側レンズ面の曲率半径、
である。
【００８８】
条件式（１０）は、最終レンズ群の最も像側に位置するレンズ（以下、適宜、最終レンズという）のシェーピングファクターに関するものである。また、条件式（１１）は、最終レンズの物体側面の曲率半径が像側面の曲率半径より小さいことを表している。
【００８９】
条件式（１０）の下限値を下回らないようにすることで、望遠端における球面収差の発生を抑制できる。
【００９０】
条件式（１０）の上限値を上回らないようにすることで、広角端における非点収差の発生、特に、最終レンズの像側面での非点収差の発生を抑制できる。
【００９１】
条件式（１１）を満足すること、すなわち、最終レンズの物体側面の曲率半径を像側面の曲率半径よりも小さくすることで、非点収差の発生を抑制できる。
【００９２】
なお、条件式（１０）に代えて、以下の条件式（１０’）を満足すると良い。
−２．５０＜（ｒlf＋ｒlb）／（ｒlf−ｒlb）＜−０．４０      （１０’）
さらに、条件式（１０）に代えて、以下の条件式（１０’’）を満足するとなお良い。
−２．３０＜（ｒlf＋ｒlb）／（ｒlf−ｒlb）＜−０．５０      （１０’’）
【００９３】
また、本実施形態のズームレンズでは、広角端から望遠端への変倍時に、最終レンズ群は物体側へ移動することが好ましい。
【００９４】
このようにすると、望遠端において、最終レンズ群と最終レンズ群よりも物体側のレンズ群との間隔を小さくできる。よって、光学系を小型化できる。
【００９５】
また、最終レンズ群における軸上光線の高さは、広角端より望遠端で高くなる。そのため、球面収差や軸上色収差を広角端で悪化させることなく、望遠端で良好に補正できる。
【００９６】
また、最終レンズ群を移動させることで、最終レンズ群にも変倍作用を持たせることができる。変倍作用を持つレンズ群は、最終レンズ群よりも物体側にあるので、最終レンズ群に変倍作用を持たせることで、最終レンズ群よりも物体側に位置するレンズ群における変倍の負担を軽減できる。すなわち、物体側に位置するレンズ群の変倍時の移動量を、減少させることができる。その結果、ズームレンズの全長を短縮できる。
【００９７】
また、本実施形態のズームレンズでは、以下の条件式（１２）を満足することが好ましい。
０．３０＜Ｄ1L／Ｄ1a＜４．００      （１２）
ここで、
Ｄ1Lは、第１レンズ群における光軸上のレンズ厚の総和、
Ｄ1aは、第１レンズ群における光軸上の空気間隔の総和、
である。
【００９８】
条件式（１２）は、第１レンズ群内のレンズの光軸上の厚みの和と第１レンズ群内の空気間隔の和との比に関するものである。
【００９９】
条件式（１２）の下限値を下回らないようにすることで、第１レンズ群内のレンズの空気間隔の増大を抑え、第１レンズ群の厚みを薄くしつつ、倍率色収差や非点収差などの収差を良好に補正できる。また、空気間隔の増大を抑制できるので、第１レンズ群を小型化できる。
【０１００】
条件式（１２）の上限値を上回らないようにすることで、第１レンズ群内のレンズの空気間隔を適切な広さにすることができる。そのため、第１レンズ群内で発生する諸収差、特に、非点収差や倍率色収差の発生を抑制できる。また、レンズの厚みの増大を抑制できるので、第１レンズ群を小型化できる。
【０１０１】
なお、条件式（１２）に代えて、以下の条件式（１２’）を満足すると良い。
０．４０＜Ｄ1L／Ｄ1a＜３．００      （１２’）
さらに、条件式（１２）に代えて、以下の条件式（１２’’）を満足するとなお良い。
０．５０＜Ｄ1L／Ｄ1a＜２．５０      （１２’’）
【０１０２】
また、本実施形態のズームレンズでは、第１レンズ群は、１枚の負レンズと、１枚の正レンズと、を少なくとも有することが好ましい。
【０１０３】
このようにすることで、広角端で発生する非点収差や倍率色収差、望遠端で発生する軸上色収差を良好に補正できる。
【０１０４】
なお、第１レンズ群の負レンズは、像側面が像側に凹の面であることが好ましい。また、正レンズでは、物体側面が物体側に凸の面であることが好ましい。また、第１レンズ群の負レンズは、第１レンズ群の最も物体側に配置されることが好ましい。また、第１レンズ群の正レンズは、第１レンズ群の最も像側に配置されることが好ましい。
【０１０５】
また、本実施形態のズームレンズでは、開口絞りを有し、複数のレンズ群は、４つのレンズ群からなり、正の屈折力を有するレンズ群は第３レンズ群であり、最終レンズ群は第４レンズ群であり、開口絞りが第３レンズ群内に配置され、少なくとも１枚の非球面レンズを有することが好ましい。
【０１０６】
ズームレンズを４つのレンズ群で構成することで、屈折力の配置は、物体側から順に、負の屈折力、負の屈折力、正の屈折力及び負の屈折力となる。このような屈折力の配置の有効性、特にズームレンズの全長を短縮した場合（各レンズ群の屈折力を大きくした場合）の収差補正に関する有効性は、上述したとおりである。このように、本実施形態のズームレンズによれば、倍率色収差、歪曲収差、球面収差及び軸上色収差を補正しながらも、ズームレンズの全長を短縮できる。
【０１０７】
なお、第３レンズ群は、正レンズと、接合レンズと、を有することが好ましい。そして、正レンズは、接合レンズよりも物体側に配置されていることが好ましい。また、正レンズでは、物体側面が物体側に凸の面であり、像側面が像側に凸の面であることが好ましい。また、第３レンズ群は、最も物体側に両凸レンズを配置することが好ましい。
【０１０８】
接合レンズは、正レンズと、負レンズと、で構成されていることが好ましい。ここで、正レンズでは、物体側面が物体側に凸の面、又は像側面が像側に凸の面であることが好ましい。また、負レンズでは、物体側面が物体側に凹の面、又は像側面が像側に凹の面であることが好ましい。また、接合レンズの接合面は、物体側に凸の面、又は像側に凸の面であることが好ましい。
【０１０９】
また、接合レンズよりも像側に、正レンズを有していても良い。この正レンズでは、物体側面が物体側に凸の面、又は像側面が像側に凸の面であることが好ましい。更に、負レンズを備え、この負レンズが正レンズに接合されていても良い。この場合、接合レンズの接合面は、物体側に凸の面、又は像側に凸の面であることが好ましい。また、第３レンズ群は、最も像側の面が像側に凸の面であることが好ましい。
【０１１０】
また、第４レンズ群は、正レンズと、負レンズと、を有することが好ましい。ここで、負レンズでは、物体側面が物体側に凹の面であることが好ましい。また、正レンズでは、像側面が像側に凸の面であることが好ましい。
【０１１１】
また、第１レンズ群の負レンズは非球面を有することが好ましい。また、第３レンズ群の正レンズは非球面を有することが好ましい。また、第４レンズ群の負レンズは非球面を有することが好ましい。
【０１１２】
また、本実施形態の撮像装置は、上記のいずれかのズームレンズと、撮像面を有する撮像素子を備えることを特徴とする。
【０１１３】
このようにすることで、サイズが大きい撮像素子を用いた場合であっても、中心から周辺まで諸収差が補正され、なお且つ、光学系の全長が短いズームレンズを備えた撮像装置を提供できる。
【０１１４】
なお、各条件式について、下限値、上限値の何れかまたは双方を限定することで、その機能をより確実にできるので好ましい。また、各条件式について、より限定した条件式の数値範囲の上限値あるいは下限値のみを限定しても構わない。また、条件式の数値範囲を限定するにあたっては、上記の各条件式の上限値又は下限値を、上記の他の条件式の上限値又は下限値としても良い。
【０１１５】
以下に、本発明のある態様に係るズームレンズの実施例を、図面に基づいて詳細に説明する。なお、この実施例によりこの発明が限定されるものではない。また、屈折力の正、負は近軸曲率半径に基づく。
【０１１６】
実施例１に係るズームレンズについて説明する。図１と図３は、実施例１に係るズームレンズの光学構成を示す光軸に沿う断面図（レンズ断面図）である。図１は無限遠物点合焦時の断面図、図３は近距離物点合焦時の断面図である。また、（ａ）は広角端での断面図、（ｂ）は中間焦点距離状態での断面図、（ｃ）は望遠端での断面図である。なお、以下全ての実施例において、断面図中、Ｃはカバーガラス、Ｉは撮像素子の撮像面を示している。
【０１１７】
図２と図４は、実施例１に係るズームレンズの収差図である。図２は無限遠物点合焦時における収差図、図４は近距離物点合焦時における収差図である。ここで、ωは半画角である。なお、収差図における記号は、後述の実施例においても共通である。
【０１１８】
また、これらの収差図において、（ａ）、（ｂ）、（ｃ）、（ｄ）は、それぞれ、広角端における球面収差（ＳＡ）、非点収差（ＡＳ）、歪曲収差（ＤＴ）、倍率色収差（ＣＣ）を示している。
【０１１９】
また、（ｅ）、（ｆ）、（ｇ）、（ｈ）は、それぞれ、中間焦点距離状態における球面収差（ＳＡ）、非点収差（ＡＳ）、歪曲収差（ＤＴ）、倍率色収差（ＣＣ）を示している。
【０１２０】
また、（ｉ）、（ｊ）、（ｋ）、（ｌ）は、それぞれ、望遠端における球面収差（ＳＡ）、非点収差（ＡＳ）、歪曲収差（ＤＴ）、倍率色収差（ＣＣ）を示している。
【０１２１】
実施例１のズームレンズは、図１と図３に示すように、物体側より順に、負屈折力の第１レンズ群Ｇ１と、負屈折力の第２レンズ群Ｇ２と、正屈折力の第３レンズ群Ｇ３と、負屈折力の第４レンズ群Ｇ４と、からなる。ここで、第４レンズ群Ｇ４が最終レンズ群である。
【０１２２】
第１レンズ群Ｇ１は、物体側に凸面を向けた負メニスカスレンズＬ１と、物体側に凸面を向けた負メニスカスレンズＬ２と、物体側に凸面を向けた正メニスカスレンズＬ３と、からなる。
【０１２３】
第２レンズ群Ｇ２は、像側に凸面を向けた負メニスカスレンズＬ４からなる。
【０１２４】
第３レンズ群Ｇ３は、両凸正レンズＬ５と、物体側に凸面を向けた負メニスカスレンズＬ６と、両凸正レンズＬ７と、からなる。ここで、負メニスカスレンズＬ６と両凸正レンズＬ７とが接合されている。
【０１２５】
第４レンズ群Ｇ４は、像側に凸面を向けた正メニスカスレンズＬ８と、両凹負レンズＬ９と、からなる。
【０１２６】
また、開口絞りＳは、負メニスカスレンズＬ４と正メニスカスレンズＬ８との間に配置されている。負メニスカスレンズＬ４は第２レンズ群Ｇ２の最も像側に位置し、正メニスカスレンズＬ８は第４レンズ群Ｇ４の最も物体側に位置している。より具体的には、開口絞りＳは、両凸正レンズＬ５と負メニスカスレンズＬ６との間に配置されている。
【０１２７】
広角端から望遠端への変倍時、各レンズ群の間隔が変化する。第１レンズ群Ｇ１と第２レンズ群Ｇ２との間隔は、一旦広がった後狭まる。第２レンズ群Ｇ２と第３レンズ群Ｇ３との間隔は狭まる。第３レンズ群Ｇ３と第４レンズ群Ｇ４との間隔は狭まる。
【０１２８】
第１レンズ群Ｇ１、第２レンズ群Ｇ２、第３レンズ群Ｇ３及び第４レンズ群Ｇ４は、いずれも物体側に移動する。開口絞りＳは、第３レンズ群Ｇ３と共に物体側に移動する。
【０１２９】
また、被写体への合焦は第２レンズ群Ｇ２の移動によって行われる。無限遠物点から近距離物点への合焦時、負メニスカスレンズＬ４は物体側へ移動する。
【０１３０】
非球面は、負メニスカスレンズＬ２の両面と、両凸正レンズＬ５の両面と、両凹負レンズＬ９の両面と、の合計６面に設けられている。
【０１３１】
次に、実施例２に係るズームレンズについて説明する。図５と図７は、実施例２に係るズームレンズの光学構成を示す光軸に沿う断面図である。図５は無限遠物点合焦時の断面図、図７は近距離物点合焦時の断面図である。また、図６と図８は実施例２に係るズームレンズの収差図である。図６は無限遠物点合焦時における収差図、図８は近距離物点合焦時における収差図である。
【０１３２】
実施例２のズームレンズは、図５と図７に示すように、物体側より順に、負屈折力の第１レンズ群Ｇ１と、負屈折力の第２レンズ群Ｇ２と、正屈折力の第３レンズ群Ｇ３と、負屈折力の第４レンズ群Ｇ４と、からなる。ここで、第４レンズ群Ｇ４が最終レンズ群である。
【０１３３】
第１レンズ群Ｇ１は、物体側に凸面を向けた負メニスカスレンズＬ１と、物体側に凸面を向けた正メニスカスレンズＬ２と、からなる。
【０１３４】
第２レンズ群Ｇ２は、像側に凸面を向けた負メニスカスレンズＬ３からなる。
【０１３５】
第３レンズ群Ｇ３は、両凸正レンズＬ４と、物体側に凸面を向けた負メニスカスレンズＬ５と、両凸正レンズＬ６と、からなる。ここで、負メニスカスレンズＬ５と両凸正レンズＬ６とが接合されている。
【０１３６】
第４レンズ群Ｇ４は、像側に凸面を向けた正メニスカスレンズＬ７と、像側に凸面を向けた負メニスカスレンズＬ８と、からなる。
【０１３７】
また、開口絞りＳは、負メニスカスレンズＬ３と正メニスカスレンズＬ７との間に配置されている。負メニスカスレンズＬ３は第２レンズ群Ｇ２の最も像側に位置し、正メニスカスレンズＬ７は第４レンズ群Ｇ４の最も物体側に位置している。より具体的には、開口絞りＳは、両凸正レンズＬ４と負メニスカスレンズＬ５との間に配置されている。
【０１３８】
広角端から望遠端への変倍時、各レンズ群の間隔が変化する。第１レンズ群Ｇ１と第２レンズ群Ｇ２との間隔は、一旦広がった後狭まる。第２レンズ群Ｇ２と第３レンズ群Ｇ３との間隔は狭まる。第３レンズ群Ｇ３と第４レンズ群Ｇ４との間隔は狭まる。
【０１３９】
第１レンズ群Ｇ１、第２レンズ群Ｇ２、第３レンズ群Ｇ３及び第４レンズ群Ｇ４は、いずれも物体側に移動する。開口絞りＳは、第３レンズ群Ｇ３と共に物体側に移動する。
【０１４０】
また、被写体への合焦は第２レンズ群Ｇ２の移動によって行われる。無限遠物点から近距離物点への合焦時、負メニスカスレンズＬ３は物体側へ移動する。
【０１４１】
非球面は、負メニスカスレンズＬ１の像側面と、両凸正レンズＬ４の両面と、負メニスカスレンズＬ８の両面と、の合計５面に設けられている。
【０１４２】
次に、実施例３に係るズームレンズについて説明する。図９と図１１は、実施例３に係るズームレンズの光学構成を示す光軸に沿う断面図である。図９は無限遠物点合焦時の断面図、図１１は近距離物点合焦時の断面図である。また、図１０と図１２は実施例３に係るズームレンズの収差図である。図１０は無限遠物点合焦時における収差図、図１２は近距離物点合焦時における収差図である。
【０１４３】
実施例３のズームレンズは、図９と図１１に示すように、物体側より順に、負屈折力の第１レンズ群Ｇ１と、負屈折力の第２レンズ群Ｇ２と、正屈折力の第３レンズ群Ｇ３と、負屈折力の第４レンズ群Ｇ４と、からなる。ここで、第４レンズ群Ｇ４が最終レンズ群である。
【０１４４】
第１レンズ群Ｇ１は、物体側に凸面を向けた負メニスカスレンズＬ１と、両凹負レンズＬ２と、物体側に凸面を向けた正メニスカスレンズＬ３と、からなる。
【０１４５】
第２レンズ群Ｇ２は、像側に凸面を向けた負メニスカスレンズＬ４からなる。
【０１４６】
第３レンズ群Ｇ３は、両凸正レンズＬ５と、両凸正レンズＬ６と、像側に凸面を向けた負メニスカスレンズＬ７と、物体側に凸面を向けた負メニスカスレンズＬ８と、両凸正レンズＬ９と、からなる。ここで、両凸正レンズＬ６と負メニスカスレンズＬ７とが接合されている。また、負メニスカスレンズＬ８と両凸正レンズＬ９とが接合されている。
【０１４７】
第４レンズ群Ｇ４は、両凸正レンズＬ１０と、像側に凸面を向けた負メニスカスレンズＬ１１と、からなる。
【０１４８】
また、開口絞りＳは、負メニスカスレンズＬ４と両凸正レンズＬ１０との間に配置されている。負メニスカスレンズＬ４は第２レンズ群Ｇ２の最も像側に位置し、両凸正レンズＬ１０は第４レンズ群Ｇ４の最も物体側に位置している。より具体的には、開口絞りＳは、両凸正レンズＬ５と両凸正レンズＬ６との間に配置されている。
【０１４９】
広角端から望遠端への変倍時、各レンズ群の間隔が変化する。第１レンズ群Ｇ１と第２レンズ群Ｇ２との間隔は、一旦広がった後狭まる。第２レンズ群Ｇ２と第３レンズ群Ｇ３との間隔は狭まる。第３レンズ群Ｇ３と第４レンズ群Ｇ４との間隔は狭まる。
【０１５０】
第１レンズ群Ｇ１、第２レンズ群Ｇ２、第３レンズ群Ｇ３及び第４レンズ群Ｇ４は、いずれも物体側に移動する。開口絞りＳは、第３レンズ群Ｇ３と共に物体側に移動する。
【０１５１】
また、被写体への合焦は第２レンズ群Ｇ２の移動によって行われる。無限遠物点から近距離物点への合焦時、負メニスカスレンズＬ４は物体側へ移動する。
【０１５２】
非球面は、両凹負レンズＬ２の両面と、両凸正レンズＬ５の両面と、負メニスカスレンズＬ１１の両面と、の合計６面に設けられている。
【０１５３】
次に、実施例４に係るズームレンズについて説明する。図１３と図１５は、実施例４に係るズームレンズの光学構成を示す光軸に沿う断面図である。図１３は無限遠物点合焦時の断面図、図１５は近距離物点合焦時の断面図である。また、図１４と図１６は実施例４に係るズームレンズの収差図である。図１４は無限遠物点合焦時における収差図、図１６は近距離物点合焦時における収差図である。
【０１５４】
実施例４のズームレンズは、図１３と図１５に示すように、物体側より順に、負屈折力の第１レンズ群Ｇ１と、負屈折力の第２レンズ群Ｇ２と、正屈折力の第３レンズ群Ｇ３と、負屈折力の第４レンズ群Ｇ４と、からなる。ここで、第４レンズ群Ｇ４が最終レンズ群である。
【０１５５】
第１レンズ群Ｇ１は、物体側に凸面を向けた負メニスカスレンズＬ１と、両凹負レンズＬ２と、物体側に凸面を向けた正メニスカスレンズＬ３と、からなる。
【０１５６】
第２レンズ群Ｇ２は、像側に凸面を向けた負メニスカスレンズＬ４からなる。
【０１５７】
第３レンズ群Ｇ３は、両凸正レンズＬ５と、両凸正レンズＬ６と、像側に凸面を向けた負メニスカスレンズＬ７と、物体側に凸面を向けた負メニスカスレンズＬ８と、両凸正レンズＬ９と、からなる。ここで、両凸正レンズＬ６と負メニスカスレンズＬ７とが接合されている。また、負メニスカスレンズＬ８と両凸正レンズＬ９とが接合されている。
【０１５８】
第４レンズ群Ｇ４は、両凸正レンズＬ１０と、像側に凸面を向けた負メニスカスレンズＬ１１と、からなる。
【０１５９】
また、開口絞りＳは、負メニスカスレンズＬ４と両凸正レンズＬ１０との間に配置されている。負メニスカスレンズＬ４は第２レンズ群Ｇ２の最も像側に位置し、両凸正レンズＬ１０は第４レンズ群Ｇ４の最も物体側に位置している。より具体的には、開口絞りＳは、両凸正レンズＬ５と両凸正レンズＬ６との間に配置されている。
【０１６０】
広角端から望遠端への変倍時、各レンズ群の間隔が変化する。第１レンズ群Ｇ１と第２レンズ群Ｇ２との間隔は狭まる。第２レンズ群Ｇ２と第３レンズ群Ｇ３との間隔は狭まる。第３レンズ群Ｇ３と第４レンズ群Ｇ４との間隔は狭まる。
【０１６１】
より詳細には、第１レンズ群Ｇ１と第２レンズ群Ｇ２は、いずれも像側に移動した後、物体側に移動する。第３レンズ群Ｇ３と第４レンズ群Ｇ４は、いずれも物体側に移動する。開口絞りＳは、第３レンズ群Ｇ３と共に物体側に移動する。
【０１６２】
また、被写体への合焦は第２レンズ群Ｇ２の移動によって行われる。無限遠物点から近距離物点への合焦時、負メニスカスレンズＬ４は物体側へ移動する。
【０１６３】
非球面は、両凹負レンズＬ２の両面と、両凸正レンズＬ５の両面と、負メニスカスレンズＬ１１の両面と、の合計６面に設けられている。
【０１６４】
次に、実施例５に係るズームレンズについて説明する。図１７と図１９は、実施例５に係るズームレンズの光学構成を示す光軸に沿う断面図である。図１７は無限遠物点合焦時の断面図、図１９は近距離物点合焦時の断面図である。また、図１８と図２０は実施例５に係るズームレンズの収差図である。図１８は無限遠物点合焦時における収差図、図２０は近距離物点合焦時における収差図である。
【０１６５】
実施例５のズームレンズは、図１７と図１９に示すように、物体側より順に、負屈折力の第１レンズ群Ｇ１と、負屈折力の第２レンズ群Ｇ２と、正屈折力の第３レンズ群Ｇ３と、負屈折力の第４レンズ群Ｇ４と、からなる。ここで、第４レンズ群Ｇ４が最終レンズ群である。
【０１６６】
第１レンズ群Ｇ１は、物体側に凸面を向けた負メニスカスレンズＬ１と、物体側に凸面を向けた負メニスカスレンズＬ２と、物体側に凸面を向けた正メニスカスレンズＬ３と、からなる。
【０１６７】
第２レンズ群Ｇ２は、像側に凸面を向けた負メニスカスレンズＬ４からなる。
【０１６８】
第３レンズ群Ｇ３は、両凸正レンズＬ５と、両凸正レンズＬ６と、像側に凸面を向けた負メニスカスレンズＬ７と、物体側に凸面を向けた負メニスカスレンズＬ８と、両凸正レンズＬ９と、からなる。ここで、両凸正レンズＬ６と負メニスカスレンズＬ７とが接合されている。また、負メニスカスレンズＬ８と両凸正レンズＬ９とが接合されている。
【０１６９】
第４レンズ群Ｇ４は、両凸正レンズＬ１０と、像側に凸面を向けた負メニスカスレンズＬ１１と、からなる。
【０１７０】
また、開口絞りＳは、負メニスカスレンズＬ４と両凸正レンズＬ１０との間に配置されている。負メニスカスレンズＬ４は第２レンズ群Ｇ２の最も像側に位置し、両凸正レンズＬ１０は第４レンズ群Ｇ４の最も物体側に位置している。より具体的には、開口絞りＳは、両凸正レンズＬ５と両凸正レンズＬ６との間に配置されている。
【０１７１】
広角端から望遠端への変倍時、各レンズ群の間隔が変化する。第１レンズ群Ｇ１と第２レンズ群Ｇ２との間隔は狭まる。第２レンズ群Ｇ２と第３レンズ群Ｇ３との間隔は狭まる。第３レンズ群Ｇ３と第４レンズ群Ｇ４との間隔は狭まる。
【０１７２】
第１レンズ群Ｇ１、第２レンズ群Ｇ２、第３レンズ群Ｇ３及び第４レンズ群Ｇ４は、いずれも物体側に移動する。開口絞りＳは、第３レンズ群Ｇ３と共に物体側に移動する。
【０１７３】
また、被写体への合焦は第２レンズ群Ｇ２の移動によって行われる。無限遠物点から近距離物点への合焦時、負メニスカスレンズＬ４は物体側へ移動する。
【０１７４】
非球面は、負メニスカスレンズＬ２の両面と、両凸正レンズＬ５の両面と、負メニスカスレンズＬ１１の両面と、の合計６面に設けられている。
【０１７５】
次に、実施例６に係るズームレンズについて説明する。図２１と図２３は、実施例６に係るズームレンズの光学構成を示す光軸に沿う断面図である。図２１は無限遠物点合焦時の断面図、図２３は近距離物点合焦時の断面図である。また、図２２と図２４は実施例６に係るズームレンズの収差図である。図２２は無限遠物点合焦時における収差図、図２４は近距離物点合焦時における収差図である。
【０１７６】
実施例６のズームレンズは、図２１と図２３に示すように、物体側より順に、負屈折力の第１レンズ群Ｇ１と、負屈折力の第２レンズ群Ｇ２と、正屈折力の第３レンズ群Ｇ３と、負屈折力の第４レンズ群Ｇ４と、からなる。ここで、第４レンズ群Ｇ４が最終レンズ群である。
【０１７７】
第１レンズ群Ｇ１は、物体側に凸面を向けた負メニスカスレンズＬ１と、両凹負レンズＬ２と、両凸正レンズＬ３と、からなる。
【０１７８】
第２レンズ群Ｇ２は、像側に凸面を向けた負メニスカスレンズＬ４からなる。
【０１７９】
第３レンズ群Ｇ３は、両凸正レンズＬ５と、両凸正レンズＬ６と、両凹負レンズＬ７と、両凸正レンズＬ８と、からなる。ここで、両凸正レンズＬ６と両凹負レンズＬ７とが接合されている。
【０１８０】
第４レンズ群Ｇ４は、両凸正レンズＬ９と、像側に凸面を向けた負メニスカスレンズＬ１０と、からなる。
【０１８１】
また、開口絞りＳは、負メニスカスレンズＬ４と両凸正レンズＬ９との間に配置されている。負メニスカスレンズＬ４は第２レンズ群Ｇ２の最も像側に位置し、両凸正レンズＬ９は第４レンズ群Ｇ４の最も物体側に位置している。より具体的には、開口絞りＳは、両凸正レンズＬ５と両凸正レンズＬ６との間に配置されている。
【０１８２】
広角端から望遠端への変倍時、各レンズ群の間隔が変化する。第１レンズ群Ｇ１と第２レンズ群Ｇ２との間隔は、一旦広がった後狭まる。第２レンズ群Ｇ２と第３レンズ群Ｇ３との間隔は狭まる。第３レンズ群Ｇ３と第４レンズ群Ｇ４との間隔は、一旦広がった後狭まる。
【０１８３】
第１レンズ群Ｇ１、第２レンズ群Ｇ２、第３レンズ群Ｇ３及び第４レンズ群Ｇ４は、いずれも物体側に移動する。開口絞りＳは、第３レンズ群Ｇ３と共に物体側に移動する。
【０１８４】
また、被写体への合焦は第２レンズ群Ｇ２の移動によって行われる。無限遠物点から近距離物点への合焦時、負メニスカスレンズＬ４は物体側へ移動する。
【０１８５】
非球面は、両凹負レンズＬ２の両面と、両凸正レンズＬ５の両面と、負メニスカスレンズＬ１０の両面と、の合計６面に設けられている。
【０１８６】
次に、実施例７に係るズームレンズについて説明する。図２５と図２７は、実施例７に係るズームレンズの光学構成を示す光軸に沿う断面図である。図２５は無限遠物点合焦時の断面図、図２７は近距離物点合焦時の断面図である。また、図２６と図２８は実施例７に係るズームレンズの収差図である。図２６は無限遠物点合焦時における収差図、図２８は近距離物点合焦時における収差図である。
【０１８７】
実施例７のズームレンズは、図２５と図２７に示すように、物体側より順に、負屈折力の第１レンズ群Ｇ１と、負屈折力の第２レンズ群Ｇ２と、正屈折力の第３レンズ群Ｇ３と、負屈折力の第４レンズ群Ｇ４と、からなる。ここで、第４レンズ群Ｇ４が最終レンズ群である。
【０１８８】
第１レンズ群Ｇ１は、物体側に凸面を向けた負メニスカスレンズＬ１と、物体側に凸面を向けた負メニスカスレンズＬ２と、両凸正レンズＬ３と、からなる。
【０１８９】
第２レンズ群Ｇ２は、像側に凸面を向けた負メニスカスレンズＬ４からなる。
【０１９０】
第３レンズ群Ｇ３は、両凸正レンズＬ５と、両凸正レンズＬ６と、像側に凸面を向けた負メニスカスレンズＬ７と、からなる。ここで、両凸正レンズＬ６と負メニスカスレンズＬ７とが接合されている。
【０１９１】
第４レンズ群Ｇ４は、像側に凸面を向けた正メニスカスレンズＬ８と、像側に凸面を向けた負メニスカスレンズＬ９と、からなる。
【０１９２】
また、開口絞りＳは、負メニスカスレンズＬ４と正メニスカスレンズＬ８との間に配置されている。負メニスカスレンズＬ４は第２レンズ群Ｇ２の最も像側に位置し、正メニスカスレンズＬ８は第４レンズ群Ｇ４の最も物体側に位置している。より具体的には、開口絞りＳは、両凸正レンズＬ５と両凸正レンズＬ６との間に配置されている。
【０１９３】
広角端から望遠端への変倍時、各レンズ群の間隔が変化する。第１レンズ群Ｇ１と第２レンズ群Ｇ２との間隔は、一旦広がった後狭まる。第２レンズ群Ｇ２と第３レンズ群Ｇ３との間隔は狭まる。第３レンズ群Ｇ３と第４レンズ群Ｇ４との間隔は狭まる。
【０１９４】
第１レンズ群Ｇ１、第２レンズ群Ｇ２、第３レンズ群Ｇ３及び第４レンズ群Ｇ４は、いずれも物体側に移動する。開口絞りＳは、第３レンズ群Ｇ３と共に物体側に移動する。
【０１９５】
また、被写体への合焦は第２レンズ群Ｇ２の移動によって行われる。無限遠物点から近距離物点への合焦時、負メニスカスレンズＬ４は物体側へ移動する。
【０１９６】
非球面は、負メニスカスレンズＬ２の両面と、両凸正レンズＬ５の両面と、負メニスカスレンズＬ９の両面と、の合計６面に設けられている。
【０１９７】
次に、実施例８に係るズームレンズについて説明する。図２９と図３１は、実施例８に係るズームレンズの光学構成を示す光軸に沿う断面図である。図２９は無限遠物点合焦時の断面図、図３１は近距離物点合焦時の断面図である。また、図３０と図３２は実施例８に係るズームレンズの収差図である。図３０は無限遠物点合焦時における収差図、図３２は近距離物点合焦時における収差図である。
【０１９８】
実施例８のズームレンズは、図２９と図３１に示すように、物体側より順に、負屈折力の第１レンズ群Ｇ１と、負屈折力の第２レンズ群Ｇ２と、正屈折力の第３レンズ群Ｇ３と、負屈折力の第４レンズ群Ｇ４と、からなる。ここで、第４レンズ群Ｇ４が最終レンズ群である。
【０１９９】
第１レンズ群Ｇ１は、物体側に凸面を向けた負メニスカスレンズＬ１と、物体側に凸面を向けた正メニスカスレンズＬ２と、からなる。
【０２００】
第２レンズ群Ｇ２は、像側に凸面を向けた負メニスカスレンズＬ３からなる。
【０２０１】
第３レンズ群Ｇ３は、両凸正レンズＬ４と、物体側に凸面を向けた負メニスカスレンズＬ５と、両凸正レンズＬ６と、からなる。ここで、負メニスカスレンズＬ５と両凸正レンズＬ６とが接合されている。
【０２０２】
第４レンズ群Ｇ４は、像側に凸面を向けた負メニスカスレンズＬ７と、両凸正レンズＬ８と、像側に凸面を向けた負メニスカスレンズＬ９と、からなる。
【０２０３】
また、開口絞りＳは、負メニスカスレンズＬ３と負メニスカスレンズＬ７との間に配置されている。負メニスカスレンズＬ３は第２レンズ群Ｇ２の最も像側に位置し、負メニスカスレンズＬ７は第４レンズ群Ｇ４の最も物体側に位置している。より具体的には、開口絞りＳは、両凸正レンズＬ４と負メニスカスレンズＬ５との間に配置されている。
【０２０４】
広角端から望遠端への変倍時、各レンズ群の間隔が変化する。第１レンズ群Ｇ１と第２レンズ群Ｇ２との間隔は狭まる。第２レンズ群Ｇ２と第３レンズ群Ｇ３との間隔は狭まる。第３レンズ群Ｇ３と第４レンズ群Ｇ４との間隔は狭まる。
【０２０５】
第１レンズ群Ｇ１、第２レンズ群Ｇ２、第３レンズ群Ｇ３及び第４レンズ群Ｇ４は、いずれも物体側に移動する。開口絞りＳは、第３レンズ群Ｇ３と共に物体側に移動する。
【０２０６】
また、被写体への合焦は第２レンズ群Ｇ２の移動によって行われる。無限遠物点から近距離物点への合焦時、負メニスカスレンズＬ３は物体側へ移動する。
【０２０７】
非球面は、負メニスカスレンズＬ１の像側面と、両凸正レンズＬ４の両面と、負メニスカスレンズＬ９の両面と、の合計５面に設けられている。
【０２０８】
次に、実施例９に係るズームレンズについて説明する。図３３と図３５は、実施例９に係るズームレンズの光学構成を示す光軸に沿う断面図である。図３３は無限遠物点合焦時の断面図、図３５は近距離物点合焦時の断面図である。また、図３４と図３６は実施例９に係るズームレンズの収差図である。図３４は無限遠物点合焦時における収差図、図３６は近距離物点合焦時における収差図である。
【０２０９】
実施例９のズームレンズは、図３３と図３５に示すように、物体側より順に、負屈折力の第１レンズ群Ｇ１と、負屈折力の第２レンズ群Ｇ２と、正屈折力の第３レンズ群Ｇ３と、負屈折力の第４レンズ群Ｇ４と、からなる。ここで、第４レンズ群Ｇ４が最終レンズ群である。
【０２１０】
第１レンズ群Ｇ１は、物体側に凸面を向けた負メニスカスレンズＬ１と、物体側に凸面を向けた負メニスカスレンズＬ２と、物体側に凸面を向けた正メニスカスレンズＬ３と、からなる。
【０２１１】
第２レンズ群Ｇ２は、像側に凸面を向けた負メニスカスレンズＬ４からなる。
【０２１２】
第３レンズ群Ｇ３は、両凸正レンズＬ５と、物体側に凸面を向けた負メニスカスレンズＬ６と、両凸正レンズＬ７と、からなる。ここで、負メニスカスレンズＬ６と両凸正レンズＬ７とが接合されている。
【０２１３】
第４レンズ群Ｇ４は、像側に凸面を向けた正メニスカスレンズＬ８と、像側に凸面を向けた負メニスカスレンズＬ９と、像側に凸面を向けた負メニスカスレンズＬ１０と、からなる。
【０２１４】
また、開口絞りＳは、負メニスカスレンズＬ４と正メニスカスレンズＬ８との間に配置されている。負メニスカスレンズＬ４は第２レンズ群Ｇ２の最も像側に位置し、正メニスカスレンズＬ８は第４レンズ群Ｇ４の最も物体側に位置している。より具体的には、開口絞りＳは、両凸正レンズＬ５と負メニスカスレンズＬ６との間に配置されている。
【０２１５】
広角端から望遠端への変倍時、各レンズ群の間隔が変化する。第１レンズ群Ｇ１と第２レンズ群Ｇ２との間隔は、一旦広がった後狭まる。第２レンズ群Ｇ２と第３レンズ群Ｇ３との間隔は狭まる。第３レンズ群Ｇ３と第４レンズ群Ｇ４との間隔は狭まる。
【０２１６】
第１レンズ群Ｇ１、第２レンズ群Ｇ２、第３レンズ群Ｇ３及び第４レンズ群Ｇ４は、いずれも物体側に移動する。開口絞りＳは、第３レンズ群Ｇ３と共に物体側に移動する。
【０２１７】
また、被写体への合焦は第２レンズ群Ｇ２の移動によって行われる。無限遠物点から近距離物点への合焦時、負メニスカスレンズＬ４は物体側へ移動する。
【０２１８】
非球面は、負メニスカスレンズＬ２の両面と、両凸正レンズＬ５の両面と、負メニスカスレンズＬ９の両面と、負メニスカスレンズＬ１０の両面と、の合計８面に設けられている。
【０２１９】
次に、実施例１０に係るズームレンズについて説明する。図３７と図３９は、実施例１０に係るズームレンズの光学構成を示す光軸に沿う断面図である。図３７は無限遠物点合焦時の断面図、図３９は近距離物点合焦時の断面図である。また、図３８と図４０は実施例１０に係るズームレンズの収差図である。図３７は無限遠物点合焦時における収差図、図４０は近距離物点合焦時における収差図である。
【０２２０】
実施例１０のズームレンズは、図３７と図３９に示すように、物体側より順に、負屈折力の第１レンズ群Ｇ１と、負屈折力の第２レンズ群Ｇ２と、正屈折力の第３レンズ群Ｇ３と、負屈折力の第４レンズ群Ｇ４と、からなる。ここで、第４レンズ群Ｇ４が最終レンズ群である。
【０２２１】
第１レンズ群Ｇ１は、物体側に凸面を向けた負メニスカスレンズＬ１と、物体側に凸面を向けた正メニスカスレンズＬ２と、からなる。
【０２２２】
第２レンズ群Ｇ２は、像側に凸面を向けた負メニスカスレンズＬ３からなる。
【０２２３】
第３レンズ群Ｇ３は、両凸正レンズＬ４と、物体側に凸面を向けた負メニスカスレンズＬ５と、両凸正レンズＬ６と、からなる。ここで、負メニスカスレンズＬ５と両凸正レンズＬ６とが接合されている。
【０２２４】
第４レンズ群Ｇ４は、両凹負レンズＬ７と、両凸正レンズＬ８と、像側に凸面を向けた負メニスカスレンズＬ９と、からなる。ここで、両凹負レンズＬ７と両凸正レンズＬ８とが接合されている。
【０２２５】
また、開口絞りＳは、負メニスカスレンズＬ３と両凹負レンズＬ７との間に配置されている。負メニスカスレンズＬ３は第２レンズ群Ｇ２の最も像側に位置し、両凹負レンズＬ７は第４レンズ群Ｇ４の最も物体側に位置している。より具体的には、開口絞りＳは、両凸正レンズＬ４と負メニスカスレンズＬ５との間に配置されている。
【０２２６】
広角端から望遠端への変倍時、各レンズ群の間隔が変化する。第１レンズ群Ｇ１と第２レンズ群Ｇ２との間隔は狭まる。第２レンズ群Ｇ２と第３レンズ群Ｇ３との間隔は狭まる。第３レンズ群Ｇ３と第４レンズ群Ｇ４との間隔は狭まる。
【０２２７】
第１レンズ群Ｇ１は、像側に移動した後、物体側に移動する。第２レンズ群Ｇ２、第３レンズ群Ｇ３及び第４レンズ群Ｇ４は、いずれも物体側に移動する。開口絞りＳは、第３レンズ群Ｇ３と共に物体側に移動する。
【０２２８】
また、被写体への合焦は第２レンズ群Ｇ２の移動によって行われる。無限遠物点から近距離物点への合焦時、負メニスカスレンズＬ３は物体側へ移動する。
【０２２９】
非球面は、負メニスカスレンズＬ１の像側面と、両凸正レンズＬ４の両面と、負メニスカスレンズＬ９の両面と、の合計５面に設けられている。
【０２３０】
次に、実施例１１に係るズームレンズについて説明する。図４１と図４３は、実施例１１に係るズームレンズの光学構成を示す光軸に沿う断面図である。図４１は無限遠物点合焦時の断面図、図４３は近距離物点合焦時の断面図である。また、図４２と図４４は実施例１１に係るズームレンズの収差図である。図４２は無限遠物点合焦時における収差図、図４４は近距離物点合焦時における収差図である。
【０２３１】
実施例１１のズームレンズは、図４１と図４３に示すように、物体側より順に、負屈折力の第１レンズ群Ｇ１と、負屈折力の第２レンズ群Ｇ２と、正屈折力の第３レンズ群Ｇ３と、負屈折力の第４レンズ群Ｇ４と、からなる。ここで、第４レンズ群Ｇ４が最終レンズ群である。
【０２３２】
第１レンズ群Ｇ１は、両凹負レンズＬ１と、物体側に凸面を向けた負メニスカスレンズＬ２と、物体側に凸面を向けた正メニスカスレンズＬ３と、からなる。
【０２３３】
第２レンズ群Ｇ２は、像側に凸面を向けた負メニスカスレンズＬ４からなる。
【０２３４】
第３レンズ群Ｇ３は、両凸正レンズＬ５と、両凸正レンズＬ６と、両凹負レンズＬ７と、両凸正レンズＬ８と、像側に凸面を向けた負メニスカスレンズＬ９と、からなる。ここで、両凸正レンズＬ６と両凹負レンズＬ７とが接合されている。また、両凸正レンズＬ８と負メニスカスレンズＬ９とが接合されている。
【０２３５】
第４レンズ群Ｇ４は、像側に凸面を向けた負メニスカスレンズＬ１０からなる。
【０２３６】
また、開口絞りＳは、負メニスカスレンズＬ４と負メニスカスレンズＬ１０との間に配置されている。負メニスカスレンズＬ４は第２レンズ群Ｇ２の最も像側に位置し、負メニスカスレンズＬ１０は第４レンズ群Ｇ４の最も物体側に位置している。より具体的には、開口絞りＳは、両凹負レンズＬ７と両凸正レンズＬ８との間に配置されている。
【０２３７】
広角端から望遠端への変倍時、各レンズ群の間隔が変化する。第１レンズ群Ｇ１と第２レンズ群Ｇ２との間隔は、一端狭まった後広がる。第２レンズ群Ｇ２と第３レンズ群Ｇ３との間隔は狭まる。第３レンズ群Ｇ３と第４レンズ群Ｇ４との間隔は狭まる。
【０２３８】
より詳細には、第１レンズ群Ｇ１、第２レンズ群Ｇ２、第３レンズ群Ｇ３及び第４レンズ群Ｇ４は、いずれも物体側に移動する。開口絞りＳは、第３レンズ群Ｇ３と共に物体側に移動する。
【０２３９】
また、被写体への合焦は第２レンズ群Ｇ２の移動によって行われる。無限遠物点から近距離物点への合焦時、負メニスカスレンズＬ４は物体側へ移動する。
【０２４０】
非球面は、負メニスカスレンズＬ２の両面と、負メニスカスレンズＬ４の物体側面と、両凸正レンズＬ５の両面と、両凸正レンズＬ８の物体側面と、負メニスカスレンズＬ１０の像側面と、の合計７面に設けられている。
【０２４１】
次に、上記各実施例のズームレンズを構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッベ数、＊印は非球面である。また、ズームデータにおいて、中間は中間焦点距離状態、焦点距離はズームレンズ全系の焦点距離、ＦＮＯ．はＦナンバー、ωは半画角、ＦＢはバックフォーカス、ｆ１、ｆ２…は各レンズ群の焦点距離である。なお、全長は、レンズ最前面からレンズ最終面までの距離にバックフォーカスを加えたものである。バックフォーカスは、レンズ最終面から近軸像面までの距離を空気換算して表したものである。また、数値データは無限遠物点合焦時のデータある。
【０２４２】
また、非球面形状は、光軸方向をｚ、光軸に直交する方向をｙにとり、円錐係数をｋ、非球面係数をＡ４、Ａ６、Ａ８、Ａ１０としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10
また、非球面係数において、「ｅ−ｎ」（ｎは整数）は、「１０−ｎ」を示している。なお、これら諸元値の記号は後述の実施例の数値データにおいても共通である。
【０２４３】
数値実施例１
単位ｍｍ
面データ
面番号       r           d        nd        νd
物面        ∞           ∞
1         28.100       1.80     1.83481    42.71
2         11.956       4.92
3*        59.823       1.50     1.59201    67.02
4*        28.155       1.02
5         19.626       2.30     1.92286    20.88
6         32.237       可変
7        -17.018       1.20     1.77250    49.60
8        -39.471       可変
9*        13.205       2.80     1.72903    54.04
10*       -31.856       1.30
11（絞り）  ∞          3.06
12        370.897       1.00     1.90366    31.32
13          8.966       3.28     1.49700    81.54
14        -18.854       可変
15       -301.296       3.10     1.84666    23.78
16        -26.181       2.21
17*       -14.296       1.50     1.53071    55.69
18*        67.009       可変
19          ∞          2.50     1.51633    64.14
20          ∞          0.50
像面（撮像面）∞
非球面データ
第３面
k=0.000
A4=-9.88881e-06,A6=5.72619e-08,A8=1.12416e-09
第４面
k=0.000
A4=-4.01230e-05
第９面
k=0.000
A4=-6.44677e-05,A6=1.38804e-07
第１０面
k=0.225
A4=5.60522e-05,A6=9.01000e-08
第１７面
k=0.000
A4=-2.08357e-05
第１８面
k=0.000
A4=-5.30001e-05
ズームデータ
ズーム比       2.88
広角端    中間      望遠端
焦点距離       14.22     23.81     40.98
ＦＮＯ．        3.50      4.60      5.71
画角２ω       81.99     51.31     30.48
像高           11.15     11.15     11.15
ＦＢ (in air)   3.14     14.41     32.82
全長 (in air)  62.77     67.09     74.98
d6           6.98      9.00      4.85
d8           9.12      3.17      1.00
d14          12.54      9.53      5.31
d18           1.00     12.27     30.70
各群焦点距離
f1=-35.04    f2=-39.65     f3=15.58    f4=-78.98
【０２４４】
数値実施例２
単位ｍｍ
面データ
面番号       r           d        nd        νd
物面        ∞           ∞
1         72.804       1.80     1.80139    45.45
2*        12.967       4.60
3         19.000       2.79     1.92286    20.88
4         31.480       可変
5        -16.500       1.20     1.77250    49.60
6        -40.249       可変
7*        13.595       2.80     1.72903    54.04
8*       -31.549       1.30
9（絞り）  ∞          3.00
10        360.334       1.00     1.90366    31.32
11          9.242       3.49     1.49700    81.54
12        -16.916       可変
13        -41.552       3.50     1.84666    23.78
14        -17.376       2.73
15*        -9.558       1.50     1.58313    59.46
16*       -40.884       可変
17          ∞          2.50     1.51633    64.14
18          ∞          0.50
像面（撮像面）∞
非球面データ
第２面
k=0.000
A4=-2.14746e-05,A6=-2.22199e-07,A8=7.61955e-10,A10=-7.50212e-12,A12=-5.57614e-14第７面
k=0.000
A4=-4.44026e-05,A6=-9.99398e-08
第８面
k=0.225
A4=7.59660e-05,A6=-1.99448e-07
第１５面
k=0.000
A4=2.11485e-04,A6=-1.33603e-06,A8=2.02084e-09,A10=4.41446e-10
第１６面
k=0.000
A4=9.66989e-05,A6=-1.84982e-06,A8=5.04395e-09,A10=1.19975e-10
ズームデータ
ズーム比       2.88
広角端    中間      望遠端
焦点距離       14.28     24.26     41.16
ＦＮＯ．        3.60      4.50      5.80
画角２ω       82.10     51.31     30.68
像高           11.15     11.15     11.15
ＦＢ (in air)   3.26     16.37     31.94
全長 (in air)  61.37     65.77     73.43
d4           7.51      8.71      4.83
d6           9.32      3.60      1.00
d12          11.57      7.39      5.95
d16           1.11     14.19     29.80
各群焦点距離
f1=-38.10    f2=-37.01     f3=15.48    f4=-71.02
【０２４５】
数値実施例３
単位ｍｍ
面データ
面番号       r           d        nd        νd
物面        ∞           ∞
1         34.370       1.80     1.77250    49.60
2         12.744       5.60
3*      -251.781       1.50     1.55332    71.68
4*        79.464       1.00
5         25.856       2.30     1.84666    23.78
6         64.550       可変
7        -16.300       1.20     1.81600    46.62
8        -32.540       可変
9*        19.730       3.33     1.72903    54.04
10*       -37.030       1.00
11（絞り）  ∞          2.06
12         36.606       4.00     1.49700    81.54
13        -16.554       1.65     1.90366    31.32
14        -45.819       2.89
15         47.545       1.80     1.91082    35.25
16          9.909       4.37     1.55332    71.68
17       -360.304       可変
18         54.132       2.50     1.84666    23.78
19        -57.224       3.61
20*       -12.750       1.50     1.59201    67.02
21*      -201.535       可変 
22          ∞          2.50     1.51633    64.14
23          ∞          0.50
像面（撮像面）∞
非球面データ
第３面
k=0.000
A4=6.76209e-05,A6=-4.80755e-07,A8=1.22796e-09
第４面
k=0.000
A4=3.36897e-05,A6=-5.57368e-07,A8=1.95323e-10,A10=2.28200e-12
第９面
k=0.000
A4=-2.29537e-05,A6=-5.48437e-08,A8=3.39990e-10
第１０面
k=0.225
A4=1.45533e-05,A6=-9.37758e-08,A8=4.00510e-10
第２０面
k=0.000
A4=1.11261e-04,A6=-9.24608e-07,A8=8.11609e-09
第２１面
k=0.000
A4=6.21375e-05,A6=-9.20195e-07,A8=3.74090e-09
ズームデータ
ズーム比       2.88
広角端    中間      望遠端
焦点距離       14.29     23.37     41.15
ＦＮＯ．        2.90      3.60      4.90
画角２ω       81.34     51.85     30.34
像高           11.15     11.15     11.15
ＦＢ (in air)   3.17     11.37     26.18
全長 (in air)  70.54     72.44     79.13
d6           6.54      8.06      5.11
d8          11.76      4.77      1.00
d17           6.96      6.13      4.74
d21           1.00      9.21     24.05
各群焦点距離
f1=-43.37    f2=-41.40     f3=17.16   f4=-130.01
【０２４６】
数値実施例４
単位ｍｍ
面データ
面番号       r           d        nd        νd
物面        ∞           ∞
1         39.337       1.80     1.77250    49.60
2         12.850       5.00
3*      -251.781       1.50     1.55332    71.68
4*        79.464       1.00
5         19.094       2.30     1.84666    23.78
6         32.978       可変
7        -17.670       1.20     1.81600    46.62
8        -28.232       可変
9*        19.730       2.99     1.72903    54.04
10*       -43.582       1.00
11（絞り）  ∞          1.58
12         33.023       4.00     1.49700    81.54
13        -16.554       3.17     1.90366    31.32
14        -45.819       2.57
15         59.459       1.28     1.91082    35.25
16          9.909       4.37     1.55332    71.68
17       -240.472       可変
18         93.686       2.50     1.84666    23.78
19        -37.462       3.27
20*       -12.070       1.50     1.59201    67.02
21*      -201.535       可変
22          ∞          2.50     1.51633    64.14
23          ∞          0.50
像面（撮像面）∞
非球面データ
第３面
k=0.000
A4=1.29554e-04,A6=-6.46568e-07,A8=1.33383e-09
第４面
k=0.000
A4=1.11794e-04,A6=-7.06399e-07,A8=4.24412e-10,A10=-1.26386e-12
第９面
k=0.000
A4=-1.44277e-05,A6=-8.62921e-08,A8=1.95201e-10
第１０面
k=0.225
A4=1.32966e-05,A6=-1.06036e-07,A8=2.60465e-10
第２０面
k=0.000
A4=1.25647e-04,A6=-1.17364e-06,A8=1.24150e-08
第２１面
k=0.000
A4=6.95078e-05,A6=-1.11626e-06,A8=6.08212e-09
ズームデータ
ズーム比       2.88
広角端    中間      望遠端
焦点距離       14.28     24.26     41.16
ＦＮＯ．        3.50      4.00      5.30
画角２ω       81.60     50.03     30.26
像高           11.15     11.15     11.15
ＦＢ (in air)   3.46     11.92     26.49
全長 (in air)  74.16     72.39     79.14
d6           8.14      7.37      6.19
d8          14.03      5.67      1.00
d17           7.51      6.41      4.44
d21           1.30      9.75     24.35
各群焦点距離
f1=-37.74    f2=-61.00     f3=18.55   f4=-106.18
【０２４７】
数値実施例５
単位ｍｍ
面データ
面番号       r           d        nd        νd
物面        ∞           ∞
1         45.216       1.80     1.77250    49.60
2         11.070       4.90
3*       203.022       1.60     1.55332    71.68
4*        93.893       1.16
5         25.426       2.30     1.84666    23.78
6        146.645       可変
7        -16.572       1.20     1.80139    45.45
8        -45.357       可変
9*        24.846       2.31     1.72903    54.04
10*       -39.549       1.00
11（絞り）  ∞          5.00
12         33.616       4.00     1.49700    81.54
13        -14.355       1.65     1.90366    31.32
14        -41.305       2.96
15        129.146       1.80     1.91082    35.25
16         12.853       4.67     1.55332    71.68
17        -28.704       可変
18        137.351       3.40     1.84666    23.78
19        -31.007       4.19
20*       -13.750       1.50     1.62263    58.16
21*     -2327.054       可変
22          ∞          3.50     1.51633    64.14
23          ∞          0.50
像面（撮像面）∞
非球面データ
第３面
k=0.000
A4=2.07303e-04,A6=-3.20667e-07,A8=2.39609e-09
第４面
k=0.000
A4=1.39527e-04,A6=-6.16173e-07,A8=2.49705e-09,A10=-3.45905e-11
第９面
k=0.000
A4=1.55980e-06,A6=1.78197e-07,A8=-3.06591e-09
第１０面
k=0.225
A4=1.93346e-05,A6=1.91510e-07,A8=-3.33733e-09
第２０面
k=0.000
A4=9.92179e-05,A6=1.35047e-07,A8=2.28183e-09
第２１面
k=0.000
A4=4.45480e-05,A6=-1.69796e-07,A8=1.99574e-09
ズームデータ
ズーム比       2.88
広角端    中間      望遠端
焦点距離       14.28     24.29     41.18
ＦＮＯ．        3.50      4.00      5.30
画角２ω       81.43     50.31     30.52
像高           11.15     11.15     11.15
ＦＢ (in air)   3.82     16.87     34.87
全長 (in air)  78.04     79.73     90.82
d6           6.51      6.21      4.88
d8          12.17      5.11      1.00
d17          10.11      6.12      4.65
d21           1.00     14.00     32.05
各群焦点距離
f1=-53.66    f2=-33.20     f3=19.96   f4=-196.45
【０２４８】
数値実施例６
単位ｍｍ
面データ
面番号       r           d        nd        νd
物面        ∞           ∞
1         30.067       1.80     1.77250    49.60
2         12.600       7.00
3*      -108.026       1.50     1.55332    71.68
4*        57.743       1.00
5         54.274       2.30     1.84666    23.78
6       -102.209       可変
7        -16.415       1.20     1.88300    40.76
8        -30.815       可変
9*        12.026       4.30     1.59282    68.63
10*       -42.780       1.21
11（絞り）  ∞          3.02
12         30.924       3.27     1.49700    81.54
13        -10.731       1.00     1.90366    31.32
14        167.798       1.00
15         50.330       1.70     1.65844    50.88
16       -456.178       可変
17        120.257       3.20     1.84666    23.78
18        -36.841       3.59
19*        -8.537       1.50     1.59201    67.02
20*       -25.340       可変
21          ∞          2.50     1.51633    64.14
22          ∞          0.50
像面（撮像面）∞
非球面データ
第３面
k=0.000
A4=-3.42284e-05
第４面
k=0.000
A4=-7.77258e-05,A6=-8.33187e-08
第９面
k=0.000
A4=-3.85571e-05,A6=-6.46107e-08,A8=-3.72144e-10
第１０面
k=0.225
A4=3.04551e-05,A6=-3.19160e-08,A8=3.59046e-10
第１９面
k=0.000
A4=-7.60348e-05,A6=1.75366e-06
第２０面
k=0.000
A4=-8.01999e-05,A6=1.29455e-06,A8=-1.02918e-08
ズームデータ
ズーム比       2.88
広角端    中間      望遠端
焦点距離       14.34     24.04     41.27
ＦＮＯ．        2.90      3.50      4.90
画角２ω       80.90     50.40     30.40
像高           11.15     11.15     11.15
ＦＢ (in air)   8.05     16.73     31.09
全長 (in air)  69.98     73.00     79.13
d6           6.50      9.00      5.10
d8          13.05      4.82      1.00
d16           3.79      3.86      3.35
d20           5.89     14.58     28.96
各群焦点距離
f1=-48.17    f2=-41.40     f3=17.55    f4=-99.23
【０２４９】
数値実施例７
単位ｍｍ
面データ
面番号       r           d        nd        νd
物面        ∞           ∞
1         36.778       1.80     1.74100    52.64
2         12.786       6.90
3*       267.178       1.50     1.59201    67.02
4*        54.001       1.09
5         66.351       2.30     1.92286    20.88
6       -139.338       可変
7        -16.300       1.20     1.88300    40.76
8        -30.432       可変
9*        11.205       4.30     1.55332    71.68
10*       -28.851       1.51
11（絞り）  ∞          1.76
12         34.337       2.58     1.49700    81.54
13        -10.674       1.53     1.90366    31.32
14       -246.597       可変
15        -73.126       3.00     1.84666    23.78
16        -19.812       3.61
17*        -7.811       1.50     1.53071    55.69
18*       -22.765       可変
19          ∞          2.50     1.51633    64.14
20          ∞          0.50
像面（撮像面）∞
非球面データ
第３面
k=0.000
A4=-7.67800e-05
第４面
k=0.000
A4=-1.21024e-04,A6=-2.48450e-08
第９面
k=0.000
A4=-4.84811e-05,A6=-6.49137e-08,A8=-1.58708e-09
第１０面
k=0.225
A4=4.80665e-05,A6=-4.37945e-08,A8=-1.21420e-10
第１７面
k=0.000
A4=-8.15639e-05,A6=5.45068e-07,A8=5.55640e-08
第１８面
k=0.000
A4=-1.02625e-04,A6=1.20719e-06,A8=-1.58771e-09
ズームデータ
ズーム比       2.88
広角端    中間      望遠端
焦点距離       14.39     24.24     41.42
ＦＮＯ．        3.60      4.50      5.60
画角２ω       80.93     50.22     30.28
像高           11.15     11.15     11.15
ＦＢ (in air)   9.16     18.67     33.82
全長 (in air)  69.49     71.57     79.15
d6           6.52      7.89      5.11
d8          13.45      5.21      1.00
d14           5.77      5.21      4.63
d18           7.00     16.52     31.67
各群焦点距離
f1=-48.83    f2=-41.40     f3=17.44   f4=-130.00
【０２５０】
数値実施例８
単位ｍｍ
面データ
面番号       r           d        nd        νd
物面        ∞           ∞
1         69.483       1.80     1.76802    49.24
2*        12.316       4.40
3         17.751       2.80     1.84666    23.78
4         33.966       可変
5        -16.500       1.20     1.88300    40.76
6        -34.698       可変
7*        12.895       2.80     1.72903    54.04
8*       -32.267       1.30
9（絞り）  ∞          3.79
10        109.180       1.00     2.00100    29.13
11          8.803       3.90     1.49700    81.54
12        -13.725       可変
13        -22.021       1.50     1.51742    52.43
14       -119.884       1.20
15        121.348       4.00     1.84666    23.78
16        -24.716       3.30
17*       -11.793       1.50     1.61881    63.85
18*      -184.374       可変 
19          ∞          2.50     1.51633    64.14
20          ∞          0.50
像面（撮像面）∞     
非球面データ
第２面
k=0.000
A4=-4.13906e-05,A6=-8.90550e-08,A8=-3.97702e-09,A10=3.26580e-11,A12=-2.31006e-13第７面
k=0.000
A4=-6.61462e-05,A6=9.10274e-08
第８面
k=0.225
A4=6.99593e-05,A6=1.96900e-08
第１７面
k=0.000
A4=8.84124e-05,A6=7.38725e-07
第１８面
k=0.000
A4=2.08683e-05
ズームデータ
ズーム比       2.88
広角端    中間      望遠端
焦点距離       14.27     24.26     41.17
ＦＮＯ．        3.60      4.50      5.80
画角２ω       80.71     50.25     30.36
像高           11.15     11.15     11.15
ＦＢ (in air)   3.41     13.65     29.38
全長 (in air)  60.54     61.53     70.84
d4           8.00      6.35      4.97
d6           9.03      4.10      1.00
d12           5.60      2.93      1.00
d18           1.26     11.48     27.23
各群焦点距離
f1=-43.96    f2=-36.77     f3=15.00    f4=-42.41
【０２５１】
数値実施例９
単位ｍｍ
面データ
面番号       r           d        nd        νd
物面        ∞           ∞
1         28.100       1.80     1.83481    42.71
2         12.405       4.96
3*        59.606       1.50     1.59201    67.02
4*        25.757       1.30
5         19.535       2.30     1.92286    20.88
6         34.350       可変
7        -17.018       1.20     1.77250    49.60
8        -40.147       可変
9*        12.875       2.80     1.72903    54.04
10*       -36.095       1.30
11（絞り）  ∞          2.65
12        269.966       1.00     1.90366    31.32
13          8.754       3.48     1.49700    81.54
14        -18.725       可変
15       -413.167       2.28     1.84666    23.78
16        -28.161       1.15
17*       -22.828       1.02     1.53071    55.69
18*      -104.075       2.70
19*       -16.557       1.50     1.55332    71.68
20*       -63.534       可変
21          ∞          2.50     1.51633    64.14
22          ∞          0.50
像面（撮像面）∞
非球面データ
第３面
k=0.000
A4=5.87273e-06,A6=-7.35826e-09,A8=1.36027e-09
第４面
k=0.000
A4=-2.28093e-05
第９面
k=0.000
A4=-5.55585e-05,A6=3.87032e-08
第１０面
k=0.225
A4=6.03921e-05,A6=-5.91200e-09
第１７面
k=0.000
A4=-1.57432e-05,A6=-5.18335e-07,A8=1.40203e-08
第１８面
k=0.000
A4=-1.91152e-05,A6=-1.12919e-06,A8=1.74449e-08
第１９面
k=0.000
A4=4.72418e-06,A6=-8.53043e-07,A8=1.66384e-08,A10=-1.25167e-10
第２０面
k=0.000
A4=-5.41806e-06,A6=-1.16285e-07,A8=9.74462e-10
ズームデータ
ズーム比       2.88
広角端    中間      望遠端
焦点距離       14.27     23.84     41.08
ＦＮＯ．        3.60      4.50      5.80
画角２ω       81.69     51.41     30.46
像高           11.15     11.15     11.15
ＦＢ (in air)   3.15     13.77     30.54
全長 (in air)  64.08     66.83     75.14
d6           7.00      7.82      4.93
d8          10.16      4.04      1.00
d14          10.84      8.26      5.73
d20           1.00     11.61     28.40
各群焦点距離
f1=-38.92    f2=-39.12     f3=15.99    f4=-79.68
【０２５２】
数値実施例１０
単位ｍｍ
面データ
面番号       r           d        nd        νd
物面        ∞           ∞
1         78.813       1.80     1.80139    45.45
2*        13.169       4.60
3         19.214       2.80     1.84666    23.78
4         48.038       可変
5        -17.786       1.20     1.91082    35.25
6        -40.182       可変
7*        13.148       2.80     1.76802    49.24
8*       -34.628       1.30
9（絞り）  ∞          3.93
10        411.390       1.00     2.00069    25.46
11          8.896       3.76     1.49700    81.54
12        -14.095       可変
13        -39.406       1.50     1.68893    31.16
14         44.612       3.00     1.95906    17.47
15        -37.129       3.76
16*       -11.595       1.50     1.59282    68.63
17*       -47.504       可変
18          ∞          2.50     1.51633    64.14
19          ∞          0.50
像面（撮像面）∞
非球面データ
第２面
k=0.000
A4=-3.52816e-05,A6=-6.34338e-08,A8=-2.46277e-09,A10=1.72457e-11,A12=-1.08367e-13第７面
k=0.000
A4=-5.81010e-05,A6=3.19578e-08
第８面
k=0.225
A4=6.40243e-05,A6=-3.56726e-08
第１６面
k=0.000
A4=5.29931e-05,A6=6.88364e-07,A8=-2.67817e-08,A10=3.71008e-10
第１７面
k=0.000
A4=4.58918e-06,A6=-1.11760e-08,A8=-1.24470e-08,A10=1.24055e-10
ズームデータ
ズーム比       2.89
広角端    中間      望遠端
焦点距離       14.26     24.25     41.16
ＦＮＯ．        3.60      4.50      5.80
画角２ω       80.55     50.12     30.26
像高           11.15     11.15     11.15
ＦＢ (in air)   3.43     13.12     28.39
全長 (in air)  60.84     60.72     69.29
d4           7.98      6.49      5.45
d6          10.58      4.67      1.00
d12           5.90      3.48      1.50
d17           1.29     10.96     26.24
各群焦点距離
f1=-56.47    f2=-35.96     f3=15.33    f4=-45.58
【０２５３】
数値実施例１１
単位ｍｍ
面データ
面番号       r           d        nd        νd
物面        ∞           ∞
1      -2726.891       0.90     1.90366    31.32
2         15.819       2.69
3*        27.627       1.50     1.63493    23.89
4*        22.941       0.50
5         19.277       3.73     1.92286    18.90
6         87.882       可変
7*       -19.280       0.90     1.74320    49.34
8       -184.609       可変
9*        10.299       3.44     1.55332    71.68
10*       -64.569       0.50
11         10.263       2.87     1.49700    81.61
12       -121.831       1.85     1.92286    20.88
13         27.398       2.00
14（絞り）  ∞          2.29
15*        45.390       4.17     1.68893    31.07
16         -5.500       0.90     1.88300    40.76
17        -34.045       可変
18         -8.200       0.90     1.69350    53.21
19*       -23.053       可変
20           ∞         2.60     1.51633    64.14
21           ∞         1.00
像面（撮像面）∞
非球面データ
第３面
k=0.000
A4=-1.23995e-04,A6=5.77691e-07,A8=1.52530e-09
第４面
k=0.000
A4=-1.75020e-04,A6=6.47788e-07
第７面
k=0.000
A4=-4.21206e-05,A6=3.76411e-07
第９面
k=0.000
A4=-4.55210e-05,A6=-2.56087e-07
第１０面
k=0.000
A4=7.87123e-05,A6=9.15992e-08
第１５面
k=0.000
A4=-1.75655e-04,A6=-4.87369e-06,A8=9.86936e-08,A10=-1.22946e-09
第１９面
k=0.000
A4=-1.08708e-04,A6=-5.60085e-07
ズームデータ
ズーム比       2.86
広角端    中間      望遠端
焦点距離       14.49     23.16     41.46
ＦＮＯ．        3.63      4.60      5.78
画角２ω       79.99     52.76     29.86
像高           11.00     11.00     11.00
ＦＢ (in air)   4.71     11.86     25.32
全長 (in air)  51.70     52.56     62.60
d6           6.67      4.55      4.59
d8           6.97      4.28      1.50
d17           4.21      2.74      2.05
d19           1.93      9.09     22.62
各群焦点距離
f1=-54.40    f2=-29.03     f3=11.97    f4=-18.82
【０２５４】
次に、各実施例における条件式（１）〜（１２）の値を掲げる。
条件式                 実施例１    実施例２    実施例３    実施例４
(1)|St|                   5.22        5.33        4.48        2.93
(2)Daiw/(tanωt×ft)        2.75        2.74        3.17        3.24
(3)βlw                     0.98        1.03        0.90        0.93
(4)(βlt/βlw)/(ft/fw)    0.48        0.48        0.42        0.43
(5)(β2t/β2w)             1.02        1.03        1.01        1.02
(6)EXPw/(tanωt×ft)      1.92        1.64        1.93        1.80
(7)(rff+rfb)/(rff-rfb)     -2.52       -2.39       -3.01       -4.35
(8)f2/fw                   -2.79       -2.59       -2.90       -4.27
(9)f1/fw                    2.46       -2.67       -3.03       -2.64
(10)(rlf+rlb)/(rlf-rlb)    -0.65       -1.61       -1.14       -1.13
(11)|rlf|               14.296       9.558      12.750      12.070
(11)|rlb|               67.009      40.884     201.535     201.535
(12)D1L/D1a                 0.94        1.00        0.85        0.93
条件式                 実施例５    実施例６    実施例７    実施例８
(1)|St|                   5.97        4.49        4.52        4.85
(2)Daiw/(tanωt×ft)        3.94        2.76        2.66        2.69
(3)βlw                     0.87        0.99        1.00        1.09
(4)(βlt/βlw)/(ft/fw)    0.41        0.43        0.41        0.54
(5)(β2t/β2w)             1.01        1.01        1.01        1.03
(6)EXPw/(tanωt×ft)      2.23        1.94        2.00        1.67
(7)(rff+rfb)/(rff-rfb)     -2.15       -3.28       -3.31       -2.81
(8)f2/fw                   -2.33       -2.89       -2.88       -2.58
(9)f1/fw                   -3.76       -3.36       -3.39       -3.08
(10)(rlf+rlb)/(rlf-rlb)    -1.01       -2.02       -2.04       -1.14
(11)|rlf|               13.750       8.537       7.811      11.793
(11)|rlb|             2327.054      25.340      22.765     184.374
(12)D1L/D1a                 0.94        0.70        0.70        1.05
条件式                 実施例９    実施例１０  実施例１１
(1)|St|                   4.96        4.39        6.34
(2)Daiw/(tanωt×ft)        2.74        2.57        1.63
(3)βlw                     1.00        1.08        1.30
(4)(βlt/βlw)/(ft/fw)    0.47        0.52        0.65
(5)(β2t/β2w)             1.02        1.02        1.02
(6)EXPw/(tanωt×ft)      1.79        1.73        1.05
(7)(rff+rfb)/(rff-rfb)     -2.47       -2.59       -1.23
(8)f2/fw                   -2.74       -2.52       -2.00
(9)f1/fw                   -2.73       -3.96       -3.75
(10)(rlf+rlb)/(rlf-rlb)    -1.70       -1.65       -2.10
(11)|rlf|               16.557      11.595       8.200
(11)|rlb|               63.534      47.504      23.053
(12)D1L/D1a                 0.89        1.00        1.92
【０２５５】
図４５は、電子撮像装置としてのコンパクトカメラの断面図である。図４５において、コンパクトカメラ１の鏡筒内には撮影光学系２が配置されている。また、ボディには、撮像素子面４、バックモニタ５が配置されている。なお、撮像素子としては、小型のＣＣＤ又はＣＭＯＳ等が用いられている。
【０２５６】
ここで、鏡筒にマウント部を設けて、撮影光学系２を一眼ミラーレスカメラのボディに対して着脱可能とすることもできる。このマウント部は、例えばスクリュータイプやバヨネットタイプ等のマウントを用いる。
【０２５７】
そして、このような構成のコンパクトカメラ１の撮影光学系２として、例えば上記実施例１〜１１に示した本発明のズームレンズが用いられる。
【０２５８】
図４６、図４７は、本発明に係る撮像装置の構成の概念図を示す。図４６は撮像装置としてのデジタルカメラ４０の外観を示す前方斜視図、図４７は同後方斜視図である。このデジタルカメラ４０の撮影光学系４１に、本発明のズームレンズが用いられている。
【０２５９】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１のズームレンズを通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記憶手段に記録することができる。
【０２６０】
図４８は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部等で構成される。
【０２６１】
図４８に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０２６２】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０２６３】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０２６４】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。
【０２６５】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０２６６】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０２６７】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０２６８】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０２６９】
このように構成されたデジタルカメラ４０は、撮影光学系４１として本発明のズームレンズを採用することで、サイズが大きい撮像素子を用いた場合であっても、中心から周辺まで諸収差が補正され、なお且つ、光学系の全長が短いズームレンズを備えた撮像装置とすることが可能となる。
【０２７０】
なお、本発明は、その趣旨を逸脱しない範囲で様々な変形例をとることができる。また、上記各実施例により示された形状枚数には必ずしも限定されない。また、上記各実施例において、カバーガラスＣは必ずしも配置しなくても良い。また、各レンズ群内又は各レンズ群外に、上記各実施例に図示されていないレンズであって実質的に屈折力を有さないレンズを配置してもよい。上記各実施例は、実質的に４つのレンズ群からなるズームレンズということもできる。
【産業上の利用可能性】
【０２７１】
以上のように、本発明は、サイズが大きい撮像素子を用いた場合であっても諸収差が良好に補正され、なお且つ、光学系の全長が短いズームレンズ及びそれを備えた撮像装置に適している。
【符号の説明】
【０２７２】
Ｇ１…第１レンズ群
Ｇ２…第２レンズ群
Ｇ３…第３レンズ群
Ｇ４…第４レンズ群
Ｓ…明るさ（開口）絞り
Ｃ…平行平板
Ｉ…像面
１…コンパクトカメラ
２…撮像レンズ系
４…撮像素子面
５…バックモニタ
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４５…シャッターボタン
４７…液晶表示モニター
４９…ＣＣＤ
【図１】
0005932148.tif 000002
【図２】
0005932148.tif 000003
【図３】
0005932148.tif 000004
【図４】
0005932148.tif 000005
【図５】
0005932148.tif 000006
【図６】
0005932148.tif 000007
【図７】
0005932148.tif 000008
【図８】
0005932148.tif 000009
【図９】
0005932148.tif 000010
【図１０】
0005932148.tif 000011
【図１１】
0005932148.tif 000012
【図１２】
0005932148.tif 000013
【図１３】
0005932148.tif 000014
【図１４】
0005932148.tif 000015
【図１５】
0005932148.tif 000016
【図１６】
0005932148.tif 000017
【図１７】
0005932148.tif 000018
【図１８】
0005932148.tif 000019
【図１９】
0005932148.tif 000020
【図２０】
0005932148.tif 000021
【図２１】
0005932148.tif 000022
【図２２】
0005932148.tif 000023
【図２３】
0005932148.tif 000024
【図２４】
0005932148.tif 000025
【図２５】
0005932148.tif 000026
【図２６】
0005932148.tif 000027
【図２７】
0005932148.tif 000028
【図２８】
0005932148.tif 000029
【図２９】
0005932148.tif 000030
【図３０】
0005932148.tif 000031
【図３１】
0005932148.tif 000032
【図３２】
0005932148.tif 000033
【図３３】
0005932148.tif 000034
【図３４】
0005932148.tif 000035
【図３５】
0005932148.tif 000036
【図３６】
0005932148.tif 000037
【図３７】
0005932148.tif 000038
【図３８】
0005932148.tif 000039
【図３９】
0005932148.tif 000040
【図４０】
0005932148.tif 000041
【図４１】
0005932148.tif 000042
【図４２】
0005932148.tif 000043
【図４３】
0005932148.tif 000044
【図４４】
0005932148.tif 000045
【図４５】
0005932148.tif 000046
【図４６】
0005932148.tif 000047
【図４７】
0005932148.tif 000048
【図４８】
0005932148.tif 000049